(57)【特許請求の範囲】
【請求項１】
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、
前記障害信号に応じて、前記第１のノード装置から、前記第１の経路を介して前記第２のノード装置へ向けて、前記第１の光信号を指定するシャットオフ信号を送信し、
前記障害信号を中継し、且つ前記シャットオフ信号を受信した、第３のノード装置において、前記第１の光信号に対応する波長の光出力をシャットオフする
ことを特徴とする雑音抑制方法。
【請求項２】
前記第１のノード装置は、前記障害信号の受信に応じて、前記シャットオフ信号を前記第１の経路を介して前記第２のノード装置へ向けて送信する
ことを特徴とする請求項１に記載の雑音抑制方法。
【請求項３】
前記第１のノード装置は、前記障害信号に係わらず定期的または継続的に、前記シャットオフ信号を前記第１の経路を介して前記第２のノード装置へ向けて送信する
ことを特徴とする請求項１に記載の雑音抑制方法。
【請求項４】
前記第１のノード装置から最初に前記シャットオフ信号を受信するノード装置が、前記第３のノード装置として、前記第１の光信号に対応する波長の光出力をシャットオフする
ことを特徴とする請求項１〜３のいずれか１つに記載の雑音抑制方法。
【請求項５】
前記複数のノード装置は、波長ごとにＷＤＭ信号を制御する分岐挿入ノード装置、およびＷＤＭ信号を一括して増幅する増幅ノード装置を含み、
前記増幅ノード装置は、前記シャットオフ信号を受信すると、前記シャットオフ信号を前記第２のノード装置へ向けて転送し、
前記分岐挿入ノード装置は、前記シャットオフ信号を受信すると、前記第３のノード装置として、前記第１の光信号に対応する波長の光出力をシャットオフする
ことを特徴とする請求項１〜３のいずれか１つに記載の雑音抑制方法。
【請求項６】
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、
前記第１の経路上に配置されている１または複数のノード装置において、前記障害信号に応じて、前記第１の光信号に対応する波長の光出力をシャットオフする
ことを特徴とする雑音抑制方法。
【請求項７】
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記ＷＤＭ信号の障害を検出したときに、前記第２のノード装置から前記第１の経路を介して前記第１のノード装置へ、前記ＷＤＭ信号のすべての波長を指定する障害信号を送信し、
前記第１の経路上で前記障害信号を中継する１または複数のノード装置において、前記第１のノード装置へ向かうＷＤＭ信号をシャットオフする
ことを特徴とする雑音抑制方法。
【請求項８】
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、
前記第１の経路上で前記第１のノード装置の隣りに配置されている第３のノード装置において、前記障害信号に応じて、前記第１の光信号に対応する波長の光出力をシャットオフする
ことを特徴とする雑音抑制方法。
【請求項９】
ＷＤＭ信号を伝送する複数のノード装置を有し、第１のノード装置が前記ＷＤＭ信号から第１の光信号を分岐して通信装置へ導く光伝送システムであって、
前記第１の光信号を前記第１のノード装置へ伝送する第１の経路上に配置されている第２のノード装置は、前記第１の光信号の障害を検出したときに、前記第１の経路を介して前記第１のノード装置へ、前記第１の光信号を指定する障害信号を送信し、
前記第１のノード装置は、前記第１の経路を介して前記第２のノード装置へ向けて、前記第１の光信号を指定するシャットオフ信号を送信し、
前記障害信号を中継し且つ前記シャットオフ信号を受信した第３のノード装置は、前記第１の光信号に対応する波長の光出力をシャットオフする
ことを特徴とする光伝送システム。
【発明の詳細な説明】
【技術分野】
【０００１】
本発明は、光伝送システムにおいて雑音を抑制する方法に係わる。
【背景技術】
【０００２】
光伝送システムの一形態として、ＷＤＭ（Wavelength Division Multiplexing）伝送システムが実用化されている。ＷＤＭは、波長の異なる複数の光信号を多重化して伝送する。そして、ＷＤＭ伝送システムにおいて伝送路障害を復旧させる方式または構成として、ＯＵＰＳＲ（Optical Unidirectional Path Switched Ring）が知られている。
【０００３】
図１は、ＯＵＰＳＲについて説明する図である。図１に示す例では、ＷＤＭ伝送システムは、ノード装置Ａ〜Ｉを有する。ノード装置Ａ〜Ｉは、リング状に接続されている。また、ノード装置Ａ〜Ｉは、時計回り方向および反時計回り方向に光信号を伝送することができる。
【０００４】
以下の説明では、クライアントＸからクライアントＹへデータが伝送されるものとする。この場合、ノード装置Ａは、光信号Ｘ１をノード装置Ｂに導くと共に、光信号Ｘ２をノード装置Ｉに導く。すなわち、光信号Ｘ１は反時計回り方向に伝送され、光信号Ｘ２は時計回り方向に伝送される。ここで、光信号Ｘ１、Ｘ２は、互いに実質的に同じであり、クライアントＸから送信されるデータを伝搬する。また、光信号Ｘ１、Ｘ２は、それぞれＷＤＭ信号の中に多重化されて伝送される。
【０００５】
ノード装置Ｆは、ノード装置Ｂ、Ｃ、Ｄ、Ｅを介して受信するＷＤＭ信号から光信号Ｘ１を抽出してＯＵＰＳＲ装置へ導く。また、ノード装置Ｆは、ノード装置Ｉ、Ｈ、Ｇを介して受信するＷＤＭ信号から光信号Ｘ２を抽出してＯＵＰＳＲ装置へ導く。すなわち、ＯＵＰＳＲ装置は、光信号Ｘ１、Ｘ２を受信する。そして、ＯＵＰＳＲ装置は、光信号Ｘ１、Ｘ２の一方を選択してクライアントＹへ導く。ここでは、ＯＵＰＳＲ装置は、光信号Ｘ１を選択してクライアントＹへ導くものとする。
【０００６】
上記構成のＷＤＭ伝送システムにおいて、障害により、ノード装置Ａから反時計回り方向に伝送される光信号Ｘ１がノード装置Ｆに到達しないものとする。ここで、ＯＵＰＳＲ装置は、各光信号Ｘ１、Ｘ２の受信レベルをモニタしている。そして、光信号Ｘ１の受信レベルが所定の閾値よりも低下すると、光信号Ｘ１について光断（ＬＯＬ：Loss of Light）を検出する。そうすると、ＯＵＰＳＲ装置は、ノード装置Ｉ、Ｈ、Ｇを介して受信する光信号Ｘ２をクライアントＹへ導く。すなわち、ＯＵＰＳＲ装置は、クライアントＸからクライアントＹへデータを伝送するための光パスを切り替える。このように、伝送路の障害が発生したときは、ＯＵＰＳＲ装置において光パスを切り替えることにより、データ伝送は復旧する。
【０００７】
なお、障害に起因する光パスの切替えは、他の方法で実現することもできる。例えば、ある波長チャネルの光断を検出したノード装置は、その波長チャネルをドロップするＯＵＰＳＲ装置へ障害信号を通知するようにしてもよい。この場合、ＯＵＰＳＲ装置は、障害信号に従って、その波長チャネルの光パスを切り替える。
【０００８】
関連する技術として、特許文献１は、光チャネルの光信号断検出を瞬時に行うことができる光受信装置について記載している。特許文献２は、伝送ルート切替制御方法について記載している。特許文献３は、光入力断検出閾値設定方法について記載している。特許文献４は、光ネットワークのドメイン間接続における障害特定方法について記載している。
【先行技術文献】
【特許文献】
【０００９】
【特許文献１】国際公開ＷＯ２００９／０２２４０６号
【特許文献２】国際公開ＷＯ２００５／００８９２４号
【特許文献３】特開２００９−１３０５０５号公報
【特許文献４】特開２００８−２５２６５７号公報
【発明の概要】
【発明が解決しようとする課題】
【００１０】
上述のように、光パスの切替えは、例えば、ＯＵＰＳＲ装置において受信信号の光レベルをモニタすることにより実現される。ところが、例えば、ある波長チャネルの光断が発生した場所から、その波長チャネルをＷＤＭ信号から分岐するノード（すなわち、ドロップノード）までの伝送路が長く、その伝送路上に多数のノードが存在するときは、ＯＵＰＳＲ装置は、光信号のレベルを適切にモニタできないことがある。
【００１１】
図１に示す例では、ノード装置Ａにおいて光信号Ｘ１に障害が発生しているとする。また、光信号Ｘ１は、ノード装置ＦにおいてＷＤＭ信号から分岐されてクライアントに導かれるので、ノード装置Ｆが光信号Ｘ１についてのドロップノードである。この場合、ノード装置Ｆは、ＷＤＭ信号から、光信号Ｘ１に割り当てられている波長（以下、λx）を分岐してＯＵＰＳＲ装置に導く。
【００１２】
ところで、各ノード装置は、ＷＤＭ信号を増幅する光アンプを有している。そして、光アンプは、ＡＳＥ（Amplified Spontaneous Emission）雑音を生成する。よって、ノード装置Ａからノード装置Ｆへ向かう伝送路上に配置されているノード装置Ｂ、Ｃ、Ｄ、Ｅにおいて、ＡＳＥ雑音が蓄積される。このため、光信号Ｘ１の光パスが切断されている場合であっても、ノード装置ＦがＷＤＭ信号から波長λxを分岐してＯＵＰＳＲ装置に導くと、ＯＵＰＳＲ装置において検出される光レベルが上述の閾値よりも高くなることがある。この場合、ＯＵＰＳＲ装置は、光信号Ｘ１について光断（ＬＯＬ）を検出できないので、光パスの切替えは行われない。すなわち、クライアントＸ、Ｙ間のデータ通信は、復旧しない。
【００１３】
一方、上述の障害信号を利用して光パスを切り替えるためには、各ノード装置だけでなく、ＯＵＰＳＲ装置も障害信号を利用した復旧手順をサポートしている必要がある。ところが、光伝送システムを柔軟に構築するためには、各ノード装置は、任意の通信装置を収容できることが好ましい。したがって、障害信号を利用する復旧手順をサポートしていないＯＵＰＳＲ装置がノードに接続されることもある。この場合、ＯＵＰＳＲ装置は障害を検出できないので、光パスは切り替えられない。
【００１４】
なお、上述の問題は、ＯＵＰＳＲを採用する光伝送システムにおいてのみ発生するものではない。すなわち、上述の問題は、障害に起因して光パスを切り替える光伝送システムにおいて発生し得る。
【００１５】
本発明の課題は、光伝送システムにおいて所定の装置が障害を検出できるようにすることである。
【課題を解決するための手段】
【００１６】
本発明の１つの態様の雑音抑制方法は、ＷＤＭ信号を伝送する複数のノード装置を有し、第１のノード装置が前記ＷＤＭ信号から第１の光信号を分岐して通信装置へ導く光伝送システムにおいて使用され、前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、前記障害信号に応じて、前記第１のノード装置から、前記第１の経路を介して前記第２のノード装置へ向けて、前記第１の光信号を指定するシャットオフ信号を送信し、前記障害信号を中継し、且つ前記シャットオフ信号を受信した、第３のノード装置において、前記第１の光信号に対応する波長の光出力をシャットオフする。
【発明の効果】
【００１７】
上述の態様によれば、光伝送システムにおいて所定の装置が障害を検出できる。
【図面の簡単な説明】
【００１８】
【図１】ＯＵＰＳＲについて説明する図である。
【図２】第１の実施形態の概要を説明する図である。
【図３】ＲＯＡＤＭの構成を示す図である。
【図４】ＯＵＰＳＲ部の構成を示す図である。
【図５】ＯＳＣ信号により伝送されるＯＳＣフレームの一例を示す図である。
【図６】シャットオフ制御の条件を示す図である。
【図７】シャットオフの効果を説明する図である。
【図８】第１の実施形態のシャットオフ手順を説明する図である。
【図９】第１の実施形態のシャットオフ解除手順を説明する図である。
【図１０】第２の実施形態の概要を説明する図である。
【図１１】第２の実施形態のシャットオフ手順を説明する図である。
【図１２】第２の実施形態のシャットオフ解除手順を説明する図である。
【図１３】ＩＬＡの構成を示す図である。
【図１４】第３の実施形態の概要を説明する図である。
【図１５】第３の実施形態のシャットオフ手順を説明する図である。
【図１６】第３の実施形態のシャットオフ解除手順を説明する図である。
【図１７】第４の実施形態の概要を説明する図である。
【図１８】第４の実施形態のシャットオフ手順を説明する図である。
【図１９】第４の実施形態のシャットオフ解除手順を説明する図である。
【図２０】第５の実施形態の概要を説明する図である。
【図２１】第５の実施形態のシャットオフ手順を説明する図である。
【図２２】第５の実施形態のシャットオフ解除手順を説明する図である。
【図２３】第６の実施形態の概要を説明する図である。
【図２４】第６の実施形態のシャットオフ手順を説明する図である。
【図２５】第６の実施形態のシャットオフ解除手順を説明する図である。
【図２６】第７の実施形態のシャットオフ制御方法を説明する図である。
【図２７】第８の実施形態に係るＷＤＭ伝送システムの一例を示す図である。
【図２８】ネットワークトポロジ／ルーティングＤＢの実施例を示す図である。
【図２９】波長パス接続状態管理テーブルの一例を示す図である。
【図３０】トポロジ情報の他の実施例を示す図である。
【図３１】ルーティング情報の他の実施例を示す図である。
【発明を実施するための形態】
【００１９】
本発明の実施形態の光伝送システムは、ＷＤＭ信号を伝送する複数のノード装置を有する。そして、実施形態の光伝送システムは、ある波長チャネルにおいて障害が発生したときに、その波長チャネルの光レベルを適切にモニタするために、その波長チャネルの雑音を抑制する機能を有する。以下、いくつかの実施形態を説明する。
【００２０】
＜第１の実施形態＞
図２は、第１の実施形態の概要を説明する図である。図２に示す例では、ＷＤＭ伝送システム１は、ノード装置Ａ〜Ｉを有する。各ノード装置Ａ〜Ｉは、この例では、光分岐挿入装置（ＲＯＡＤＭ：Reconfigurable Optical Add-Drop Multiplexer）である。また、ノード装置Ａ〜Ｉは、光ファイバにより、リング状に接続されている。ここで、ＷＤＭ伝送システム１は、時計回り方向および反時計回り方向に光信号を伝送することができる。すなわち、ノード間には、双方向伝送路が設けられている。
【００２１】
各ノード装置Ａ〜Ｉは、クライアント装置を収容することができる。クライアント装置は、クライアント（または、ルータ等）を収容する。図２に示す例では、ノード装置Ｆにクライアント装置３０が接続されている。
【００２２】
上記構成のＷＤＭ伝送システム１において、クライアントＸからクライアントＹへデータが伝送されるものとする。クライアントＸは、ノード装置Ａに収容されている。なお、図２では、クライアントＸを収容するクライアント装置は省略されている。また、クライアントＹは、クライアント装置３０に収容されている。
【００２３】
この場合、ノード装置Ａは、反時計回り方向に伝送される光信号Ｘ１および時計周り方向に伝送される光信号Ｘ２を生成する。そして、ノード装置Ａは、光信号Ｘ１をノードＢに導くと共に、光信号Ｘ２をノードＩに導く。ここで、光信号Ｘ１、Ｘ２は、互いに実質的に同じであり、クライアントＸから送信されるデータを伝搬する。また、光信号Ｘ１、Ｘ２は、それぞれＷＤＭ信号の中に多重化されて伝送される。
【００２４】
ノード装置Ｆは、ノードＢ、Ｃ、Ｄ、Ｅを介して受信するＷＤＭ信号から光信号Ｘ１を抽出してクライアント装置３０へ導く。また、ノード装置Ｆは、ノードＩ、Ｈ、Ｇを介して受信するＷＤＭ信号から光信号Ｘ２を抽出してクライアント装置３０へ導く。すなわち、クライアント装置３０は、光信号Ｘ１、Ｘ２を受信する。そして、クライアント装置３０は、光信号Ｘ１、Ｘ２の一方を選択してクライアントＹへ導く。ここでは、クライアント装置３０は、光信号Ｘ１を選択してクライアントＹへ導くものとする。光信号Ｘ１、Ｘ２の一方を選択する機能は、後述するＯＵＰＳＲ部により実現される。
【００２５】
なお、以下の説明では、ある光信号（または、ある波長チャネル）をＷＤＭ信号から分岐してクライアントに導くノード装置を「ドロップノード装置」と呼ぶことがある。例えば、図２に示す例では、光信号Ｘ１のドロップノード装置は、ノード装置Ｆである。
【００２６】
図３は、各ノードに設けられるＲＯＡＤＭの構成を示す。すなわち、図３は、各ノード装置Ａ〜Ｉの構成を示している。なお、図３に示す例では、ＲＯＡＤＭは、2-degree構成である。すなわち、ＲＯＡＤＭは、２つの方路（WEST、EAST）を有している。また、図３では、ＲＯＡＤＭにはクライアント装置３０が１つだけ接続されているが、ＲＯＡＤＭは、複数のクライアント装置３０を収容することができる。
【００２７】
光アンプ１１Ｗは、ＷＥＳＴ方路から入力されるＷＤＭ信号を増幅する。ここで、ＷＤＭネットワークからＲＯＡＤＭに入力されるＷＤＭ信号は、主信号およびＯＳＣ信号を含む。さらに、主信号は、波長の異なる複数の光信号を含む。すなわち、主信号もＷＤＭ信号である。また、主信号中の各光信号は、例えば、クライアント間でデータを伝送する。ＯＳＣ（Optical Supervisory Channel）信号は、後で説明するが、制御情報を伝送する。ＯＳＣ信号には、主信号とは異なる波長が割り当てられている。そして、ＯＳＣフィルタ１７Ｗは、入力ＷＤＭ信号からＯＳＣ信号を抽出してＯＳＣ制御部１８Ｗに導く。また、ＯＳＣフィルタ１７Ｗは、ＯＳＣ信号が除去されたＷＤＭ信号（すなわち、主信号）を光アンプ１１Ｗに導く。したがって、光アンプ１１Ｗは、ＯＳＣ信号が除去されたＷＤＭ信号（すなわち、主信号）を増幅する。
【００２８】
光信号分配器（ＳＰＬ：Optical Splitter）１２Ｗは、光アンプ１１Ｗにより増幅されたＷＤＭ信号を波長選択スイッチ（ＷＳＳ：Wavelength Selective Switch）１３Ｅおよびデマルチプレクサ（ＤＭＵＸ）１５Ｗに導く。デマルチプレクサ１５Ｗは、光信号分配器１２Ｗから導かれてくるＷＤＭ信号を波長ごとに分波する。デマルチプレクサ１５Ｗにより得られる光信号は、それぞれ、対応する光ファイバに導かれる。ただし、図３では、デマルチプレクサ１５Ｗの複数の出力のうちの１つのみが描かれている。そして、デマルチプレクサ１５Ｗから出力される光信号は、クライアント装置３０のＯＵＰＳＲ部３１に導かれる。
【００２９】
ＯＳＣフィルタ１７Ｅ、光アンプ１１Ｅ、光信号分配器１２Ｅ、デマルチプレクサ１５Ｅの動作は、実質的にＯＳＣフィルタ１７Ｗ、光アンプ１１Ｗ、光信号分配器１２Ｗ、デマルチプレクサ１５Ｗと同じである。よって、デマルチプレクサ１５Ｅから出力される光信号も、クライアント装置３０のＯＵＰＳＲ部３１に導かれる。
【００３０】
このように、クライアント装置３０のＯＵＰＳＲ部３１は、ＷＥＳＴ方路から受信するＷＤＭ信号から分岐された光信号、およびＥＡＳＴ方路から受信するＷＤＭ信号から分岐された光信号を受信する。そうすると、ＯＵＰＳＲ部３１は、２つの光信号のうちの一方を選択してトランスポンダ（ＴＲＰＮ）３２に導く。そして、トランスポンダ３２は、ＯＵＰＳＲ部３１により選択された光信号をクライアントに導く。このとき、トランスポンダ３２は、ＷＤＭネットワーク上の信号形式を、クライアント回線上の信号形式に変換してもよい。
【００３１】
図４は、ＯＵＰＳＲ部３１の一例の構成を示す図である。ＯＵＰＳＲ部３１は、図４に示すように、光スイッチ３１ａ、受光器（ＰＤ：Photo Detector）３１ｂ、３１ｃ、コントローラ３１ｄを含む。
【００３２】
光スイッチ３１ａは、コントローラ３１ｄの指示に従って、２つの入力光信号のうちの一方を選択する。なお、光信号Ｘ１、Ｘ２は、それぞれデマルチプレクサ１５Ｗ、１５Ｅから導かれてくる。受光器３１ｂ、３１ｃは、それぞれ光信号Ｘ１、Ｘ２を電気信号に変換する。コントローラ３１ｄは、受光器３１ｂ、３１ｃにより得られる電気信号を利用して、光信号Ｘ１、Ｘ２の光パワーを検出する。そして、コントローラ３１ｄは、光信号Ｘ１、Ｘ２の光パワーに基づいて、光スイッチ３１ａを制御する。
【００３３】
初期動作において、コントローラ３１ｄは、光信号Ｘ１、Ｘ２の光パワーを比較する。そして、光信号Ｘ１の光パワーの方が大きければ、コントローラ３１ｄは、光スイッチ３１ａに光信号Ｘ１を選択させる。一方、光信号Ｘ２の光パワーの方が大きければ、コントローラ３１ｄは、光スイッチ３１ａに光信号Ｘ２を選択させる。
【００３４】
コントローラ３１ｄは、光スイッチ３１ａにより選択されている光信号の光パワーをモニタする。そして、選択されている光信号の光パワーが所定の閾値レベルよりも低くなると、コントローラ３１ｄは、光スイッチ３１ａに他方の光信号を選択させる。閾値は、光信号が断状態（ＬＯＬ：Loss of Light）であるか否かを判定するために使用される。例えば、光信号Ｘ１が選択されているときに、光信号Ｘ１の光パワーが閾値レベルよりも低くなると、コントローラ３１ｄは、光スイッチ３１ａに光信号Ｘ２を選択させる。この結果、波長チャネルの経路切替えが実現される。
【００３５】
このように、ＯＵＰＳＲ部３１は、入力光信号の光パワーをモニタし、そのモニタ結果に応じて波長チャネルの経路切替えを実現する。したがって、波長チャネルに障害が発生すると、経路切替えが行われ、データ伝送が復旧する。
【００３６】
図３に戻る。トランスポンダ（ＴＲＰＮ）３３は、クライアントから送信される光信号を分岐してマルチプレクサ（ＭＵＸ）１６Ｗ、１６Ｅに導く。このとき、トランスポンダ３３は、クライアント回線上の信号形式を、ＷＤＭネットワーク上の信号形式に変換してもよい。
【００３７】
マルチプレクサ１６Ｗは、１または複数のクライアイント装置２から出力される光信号を多重化する。マルチプレクサ１６Ｗにより多重化された光信号は、波長選択スイッチ１３Ｗに導かれる。
【００３８】
波長選択スイッチ１３Ｗには、ＥＡＳＴ方路から伝送されてくるＷＤＭ信号、およびマルチプレクサ１６Ｗにより多重化された光信号が入力される。そして、波長選択スイッチ１３Ｗは、ＣＰＵ２０により指定される波長を選択する。これにより、ＥＡＳＴ方路から入力されてＷＥＳＴ方路へ出力されるＷＤＭ信号に、クライアントから送信される光信号が挿入される。なお、ＣＰＵ２０は、例えば、不図示のネットワーク管理システムからの指示に従って、波長選択スイッチ１３Ｗ、１３Ｅを制御してもよい。
【００３９】
光アンプ１４Ｗは、波長選択スイッチ１３Ｗから出力されるＷＤＭ信号を増幅する。そして、ＯＳＣカプラ１９Ｗは、光アンプ１４Ｗにより増幅されたＷＤＭ信号に、ＯＳＣ制御部１８Ｗにより生成されるＯＳＣ信号を加える。
【００４０】
マルチプレクサ１６Ｅ、波長選択スイッチ１３Ｅ、光アンプ１４Ｅ、ＯＳＣカプラ１９Ｅの動作は、実質的に、マルチプレクサ１６Ｗ、波長選択スイッチ１３Ｗ、光アンプ１４Ｗ、ＯＳＣカプラ１９Ｗと同じである。よって、ＷＥＳＴ方路から入力されてＥＡＳＴ方路へ出力されるＷＤＭ信号にも、クライアントから送信される光信号が挿入される。このとき、ＥＡＳＴ方路へ出力されるＷＤＭ信号にもＯＳＣ信号が加えられる。
【００４１】
波長選択スイッチ１３Ｗ、１３Ｅは、それぞれＯＣＭ（Optical Channel Monitor）を有する。ＯＣＭは、各波長の光パワーをモニタする。したがって、波長選択スイッチ１３Ｗ、１３Ｅは、ＯＣＭを利用することによって、各波長チャネルの障害（例えば、ＬＯＬ：Loss of Light）を検出することができる。例えば、ある波長チャネルの光パワーが所定の閾値よりも低下したときは、その波長チャネル（または、その波長チャネルの光信号）に障害が発生したと判定される。
【００４２】
また、波長選択スイッチ１３Ｗ、１３Ｅは、波長選択デバイスの一例であって、他のデバイスで置き換えてもよい。例えば、ＲＯＡＤＭは、波長選択スイッチの代わりに波長ブロッカを有する構成であってもよい。ただし、波長ブロッカを有する構成においては、クライアント信号は、ＷＤＭカプラなどを利用してＷＤＭ信号に挿入される。
【００４３】
ＯＳＣ制御部１８Ｗ、１８Ｅは、入力ＷＤＭ信号から抽出されたＯＳＣ信号を終端し、電気信号に変換する。そして、ＯＳＣ制御部１８Ｗ、１８Ｅは、ＯＳＣ信号により伝送されてきた制御情報をＣＰＵ２０へ送る。また、ＯＳＣ制御部１８Ｗ、１８Ｅは、ＣＰＵ２０の指示に従って、ＯＳＣ信号を生成する。生成されたＯＳＣ信号は、上述したように、ＯＳＣカプラ１９Ｗ、１９Ｅにより出力ＷＤＭ信号に加えられる。
【００４４】
ＣＰＵ２０は、ＲＯＡＤＭの動作を制御する。このとき、ＣＰＵ２０は、受信したＯＳＣ信号に含まれている制御情報に応じて、波長選択スイッチ１３Ｗ、１３Ｅを制御する。また、ＣＰＵ２０は、ＯＳＣ制御部１８Ｗ、１８Ｅに対して、ＯＳＣ信号の生成を指示する。
【００４５】
図５は、ＯＳＣ信号により伝送されるＯＳＣフレームの形式の一例を示す。ＯＳＣフレームは、この実施例では、Ethernet（登録商標）の形式を採用している。そして、ＯＳＣフレームは、データ領域の中にＷＣＦ情報およびシャットオフ情報を有する。なお、各ＲＯＡＤＭは、例えば、定期的にＯＳＣフレームを生成して隣接ノードへ送信する。
【００４６】
ＭＡＣＤＡ（MAC Destination Address）とＭＡＣＳＡ（MAC Source Address）は、それぞれＯＳＣ信号の終点と始点を表す。
ＷＣＦ（Wavelength Channel Fail）信号は、ＷＤＭシステムの各波長チャネルについて障害が発生しているか否かを表す。この実施例では、各波長チャネルに対して１ビットが割り当てられている。「１」は、障害が発生している状態を表し、「０」は、障害が発生していない状態を表す。図５に示す例では、ＷＤＭシステムは、８８個の波長チャネル（λ0〜λ87）を提供する。なお、ＷＣＦ情報は、ＯＳＣフレームに格納されて、ＷＣＦ信号として伝送される。ＷＣＦ信号は、障害信号の一例である。
【００４７】
シャットオフ情報は、ＷＤＭシステムの各波長チャネルについて、シャットオフを行うか否かを指示する。この実施例では、各波長チャネルに対して１ビットが割り当てられている。「１」は、シャットオフを行う状態を表し、「０」は、シャットオフを行わない状態を表す。なお、シャットオフ情報は、ＯＳＣフレームに格納されて、シャットオフ信号として伝送される。
【００４８】
次に、図２を参照しながら、障害が検出されたときのＷＤＭ伝送システム１の動作を説明する。ここでは、クライアントＸからクライアントＹへ反時計回りに伝送される光信号の障害が、ノード装置Ａにおいて検出されるものとする。傷害は、ＬＯＬである。また、この光信号の波長は、ノード装置Ａからノード装置Ｂ、Ｃ、Ｄ、Ｅを経由してノード装置Ｆに至る経路において、変わることなくλ1であるものとする。よって、以下では、上述の障害が検出された光信号（または、波長チャネル）を、光信号λ1（または、波長チャネルλ1）と呼ぶことがある。
【００４９】
ノード装置Ａは、光信号λ1の障害を検出すると、光信号λ1を指定するＷＣＦ信号を送信する。このとき、ノード装置Ａは、図５に示すＷＣＦ情報のλ1ビットに「１」を設定することにより、光信号λ1を指定するＷＣＦ信号を生成する。そして、このＷＣＦ信号は、障害が検出された光信号λ1と同じ経路（すなわち、反時計回り方向）へ送信される。
【００５０】
ノード装置Ｂ、Ｃ、Ｄ、Ｅは、それぞれ、ＷＣＦ信号を次のノード装置へ転送する。すなわち、ノード装置Ａから送信されるＷＣＦ信号は、ノード装置Ｂ、Ｃ、Ｄ、Ｅにより中継され、ノード装置Ｆまで伝送される。これにより、ノード装置Ｆは、光信号λ1を指定するＷＣＦ信号を受信する。ノード装置Ｆは、上記ＷＣＦ信号を受信すると、光信号λ1を指定するシャットオフ信号を生成する。このシャットオフ信号は、図５に示すシャットオフ情報のλ1ビットに「１」を設定することにより生成される。そして、ノード装置Ｆは、光信号λ1が伝送されてくる経路を逆方向に（すなわち、時計回り方向）シャットオフ信号を送信する。これにより、ノード装置Ｅは、光信号λ1を指定するシャットオフ信号を受信する。
【００５１】
各ノード装置は、各波長チャネルについて、ＷＣＦ信号およびシャットオフ信号に基づいて、光出力をシャットオフするか否かを判定する。このとき、各ノード装置は、各波長チャネルについて、図６に示す制御条件に従って、光出力をシャットオフするか否かを判定する。すなわち、ノード装置は、ＷＣＦ信号が「１」であり、且つ、シャットオフ信号が「１」である波長チャネルの光出力をシャットオフする。
【００５２】
図２に示す例では、ノード装置Ｂ、Ｃ、Ｄ、Ｅ、Ｆは、λ1を指定するＷＣＦ信号を受信する。また、ノード装置Ｅは、λ1を指定するシャットオフ信号を受信する。したがって、ノード装置Ｅは、λ1の光出力をシャットオフする。なお、指定された波長の光出力のシャットオフは、波長選択スイッチ１３Ｅまたは１３Ｗにより実現される。
【００５３】
図７は、シャットオフの効果を説明する図である。ここでは、ノード装置Ａにおいて、波長λ1の光信号が断状態になったものとする。また、図７は、波長λ1についての、ノード装置Ｂ〜Ｆの出力光パワーを示している。なお、図７は、説明のための模式的なスペクトラムを示している。
【００５４】
図７（ａ）は、シャットオフが行われないときの各ノード装置の波長λ1の光出力を示している。この例では、波長λ1は、断状態である。ところが、各ノード装置は、ＷＤＭ信号を増幅する光アンプ（１１Ｗ、１１Ｅ、１４Ｗ、１４Ｅ）を有している。そして、各光アンプは、ＡＳＥ雑音を生成する。このため、波長λ1の光信号は存在しないが、ノード装置Ｂからノード装置Ｆに至る経路上で、ＡＳＥ雑音は蓄積されてゆく。なお、図７では、特定の波長についてのみＡＳＥ雑音が生成および蓄積されているが、実際は、ＡＳＥ雑音は波長にほとんど依存することなく生成される。
【００５５】
図７（ａ）に示す例では、ノード装置Ｆにおいて、蓄積されたＡＳＥ雑音による光パワーは、閾値よりも高くなっている。この閾値は、図４を参照しながら説明したように、光信号の断状態（ＬＯＬ：Loss of Light）を検出するために使用される。したがって、ノード装置Ｆが、入力ＷＤＭ信号から波長λ1を分岐してＯＵＰＳＲ部３１に導くと、ＯＵＰＳＲ部３１は、光信号λ1が正常であると判定してしまう。
【００５６】
この問題を解決するために、第１の実施形態のＷＤＭ伝送システム１においては、障害が発生した光信号のドロップノードの直前のノード装置で、その光信号に対応する波長の光出力がシャットオフされる。すなわち、ノード装置Ｅは、波長選択スイッチを用いて波長λ1の光出力をシャットオフする。よって、図７（ｂ）に示すように、ノード装置Ｅにおいて、波長λ1の出力光パワーは十分に小さくなる。なお、図３に示すように、波長選択スイッチの出力側に光アンプが設けられており、その光アンプでＡＳＥ雑音が生成されるので、ノード装置Ｅの出力光パワーはゼロではない。
【００５７】
ノード装置Ｅによって波長λ1の光出力がシャットオフされるので、ノード措置Ｆにおいて、波長λ1のＡＳＥ雑音成分は閾値よりも低い。したがって、ノード装置Ｆが、入力ＷＤＭ信号から波長λ1を分岐してＯＵＰＳＲ部３１に導くと、ＯＵＰＳＲ部３１は、光信号λ1が断状態であると判定する。そうすると、ＯＵＰＳＲ部３１は、図４を参照しながら説明したように、光スイッチ３１ａを利用して経路切替えを行う。この結果、データ伝送が復旧する。
【００５８】
このように、第１の実施形態によれば、断状態となった光信号のドロップノード（すなわち、ノード装置Ｆ）の直近のノード（すなわち、ノード装置Ｅ）において、その光信号に対応する波長チャネルの光出力がシャットオフされる。これにより、この波長チャネルのＡＳＥ雑音が抑制され、ドロップノードにおいて、その光信号に対応する波長チャネルの光パワーは、光信号の断状態を検出するための閾値よりも小さくなる。したがって、クライアント装置３０のＯＵＰＳＲ部３１は、光信号のＬＯＬ障害を適切に検出することができ、データ伝送を復旧するために経路を切り替えることができる。
【００５９】
図８は、第１の実施形態のシャットオフ手順を説明する図である。ここでは、図２に示す障害に起因してシャットオフが行われるものとする。すなわち、ＷＤＭ伝送システム１が正常に動作しているときは、ノード装置Ａに収容されているクライアントＸのデータを運ぶ光信号（以下、光信号Ｘ１）は、ノード装置Ｂ、Ｃ、Ｄ、Ｅを介して伝送され、ノード装置Ｆによりトランスポンダ３２に導かれる。そして、ノード装置Ａにおいて光信号Ｘ１の障害が検出されたときは、ノード装置Ｅにおいて光信号Ｘ１に対応する波長がシャットオフされる。なお、図８においては、シャットオフ動作に直接的に係わりのない要素については、省略されている。また、図８に類似する以降の図面においても、シャットオフ動作に直接的に係わりのない要素については、省略される。
【００６０】
Ｓ１：ノード装置Ａにおいて、トランスポンダ３３から出力される光信号Ｘ１が断状態になる。ここで、光信号Ｘ１の波長は、λ1であるものとする。
Ｓ２：波長選択スイッチ１３Ｅは、波長λ1の断状態を検出する。なお、波長選択スイッチ１３Ｅは、例えば、ＯＣＭを利用して各波長の光パワーをモニタする。そして、ある波長の光パワーが所定の閾値よりも小さいときは、その波長の光が断状態であると判定される。
【００６１】
Ｓ３：波長選択スイッチ１３Ｅは、波長λ1が断状態であることをＣＰＵ２０に通知する。
Ｓ４：ＣＰＵ２０は、ＯＳＣ制御部１８Ｅに対して、ＷＣＦ信号のλ1ビットに「１：障害」を設定する旨を指示する。
【００６２】
Ｓ５：ＯＳＣ制御部１８Ｅは、ＣＰＵ２０からの指示に従って、ＷＣＦ信号のλ1ビットに「１：障害」を設定する。そして、ＯＳＣ制御部１８Ｅは、このＷＣＦ信号を含むＯＳＣ信号を生成する。
Ｓ６：ＯＳＣ制御部１８Ｅから出力されるＯＳＣ信号は、ＯＳＣカプラ１９ＥによりＷＤＭ信号に合波される。よって、このＯＳＣ信号は、次のノード装置（すなわち、ノード装置Ｂ）へ伝送される。
【００６３】
上述のＯＳＣ信号を受信したときの動作は、ノード装置Ｂ〜Ｅにおいて実質的に同じである。したがって、以下では、上述のＯＳＣ信号を受信したノード装置Ｅの動作を説明する。
【００６４】
Ｓ１１：ノード装置ＥのＯＳＣフィルタ１７Ｗは、入力ＷＤＭ信号からＯＳＣ信号を抽出してＯＳＣ制御部１８Ｗに導く。すなわち、ＯＳＣ制御部１８Ｗは、ノード装置Ｄで生成されたＯＳＣ信号を受信する。
【００６５】
Ｓ１２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
Ｓ１３：ＣＰＵ２０は、ＷＣＦ信号のλ1ビットが「１」であることを認識する。そうすると、ＣＰＵ２０は、自ノード（すなわち、ノード装置Ｅ）が波長λ1の光信号を終端するか否かを確認する。この例では、波長λ1の光信号は、ノード装置Ｆにおいてドロップされる。すなわち、波長λ1の光信号は、ノード装置Ｅにおいて終端されていない。
【００６６】
Ｓ１４：波長λ1の光信号がノード装置Ｅにおいて終端されていないときは、ＣＰＵ２０は、ＯＳＣ制御部１８Ｅに対して、ＷＣＦ信号のλ1ビットに「１：障害」を設定する旨を指示する。
【００６７】
Ｓ１５：ＯＳＣ制御部１８Ｅは、ＣＰＵ２０からの指示に従って、ＷＣＦ信号のλ1ビットに「１：障害」を設定する。そして、ＯＳＣ制御部１８Ｅは、このＷＣＦ信号を含むＯＳＣ信号を生成する。
【００６８】
Ｓ１６：ＯＳＣ制御部１８Ｅから出力されるＯＳＣ信号は、ＯＳＣカプラ１９ＥによりＷＤＭ信号に合波される。よって、このＯＳＣ信号は、次のノード装置（すなわち、ノード装置Ｆ）へ伝送される。
【００６９】
このように、各ノード装置Ｂ、Ｃ、Ｄ、Ｅは、λ1ビットが「１」であるＷＣＦ信号を前段ノードから受信すると、λ1ビットが「１」であるＷＣＦ信号を次段ノードへ送信する。すなわち、各ノード装置Ｂ、Ｃ、Ｄ、Ｅは、λ1ビットが「１」であるＷＣＦ信号をノード装置Ａからノード装置Ｆへ中継する。
【００７０】
Ｓ２１：ノード装置ＦのＯＳＣフィルタ１７Ｗは、入力ＷＤＭ信号からＯＳＣ信号を抽出してＯＳＣ制御部１８Ｗに導く。すなわち、ＯＳＣ制御部１８Ｗは、ノード装置Ｅで生成されたＯＳＣ信号を受信する。
【００７１】
Ｓ２２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
Ｓ２３：ＣＰＵ２０は、ＷＣＦ信号のλ1ビットが「１」であることを認識する。そうすると、ＣＰＵ２０は、自ノード（すなわち、ノード装置Ｆ）が波長λ1の光信号を終端するか否かを確認する。この例では、波長λ1の光信号は、ノード装置Ｆにおいてドロップされる。すなわち、波長λ1の光信号は、ノード装置Ｆにおいて終端されている。
【００７２】
Ｓ２４：波長λ1の光信号がノード装置Ｆにおいて終端されているときは、ＣＰＵ２０は、ＯＳＣ制御部１８Ｗに対して、シャットオフ信号のλ1ビットに「１：シャットオフ実行」を設定する旨を指示する。
【００７３】
Ｓ２５：ＯＳＣ制御部１８Ｗは、ＣＰＵ２０からの指示に従って、シャットオフ信号のλ1ビットに「１：シャットオフ実行」を設定する。そして、ＯＳＣ制御部１８Ｗは、このシャットオフ信号を含むＯＳＣ信号を生成する。
【００７４】
Ｓ２６：ＯＳＣ制御部１８Ｗから出力されるＯＳＣ信号は、ＯＳＣカプラ１９ＷによりＷＤＭ信号に合波される。よって、このＯＳＣ信号は、光信号Ｘ１の伝送経路の上流側のノード装置（すなわち、ノード装置Ｅ）へ伝送される。
【００７５】
Ｓ３１：ノード装置Ｅにおいて、ＯＳＣフィルタ１７Ｅは、入力ＷＤＭ信号からＯＳＣ信号を抽出してＯＳＣ制御部１８Ｅに導く。すなわち、ＯＳＣ制御部１８Ｅは、ノード装置Ｆで生成されたＯＳＣ信号を受信する。
【００７６】
Ｓ３２：ＯＳＣ制御部１８Ｅは、受信したＯＳＣ信号からシャットオフ信号を抽出する。そして、ＯＳＣ制御部１８Ｅは、抽出したシャットオフ信号をＣＰＵ２０へ送信する。
Ｓ３３：ＣＰＵ２０は、シャットオフ信号のλ1ビットが「１：シャットオフ実行」であることを検出する。そうすると、ＣＰＵ２０は、先に受信しているＷＣＦ信号のλ1ビットを確認する。
【００７７】
Ｓ３４：ＣＰＵ２０は、ＷＣＦ信号およびシャットオフ信号が図６に示す制御条件を満たしているか判定する。この実施例では、波長λ１について、Ｓ１３で検出されたＷＣＦ信号が「１」であり、Ｓ３３で検出されたシャットオフ信号も「１」である。すなわち、シャットオフ実行条件は満たされている。よって、ＣＰＵ２０は、波長選択スイッチ１３Ｅに対して、波長λ1の光出力をシャットオフする旨の指示を与える。
【００７８】
Ｓ３５：波長選択スイッチ１３Ｅは、ＣＰＵ２０からの指示に従って、波長λ1の光出力をシャットオフする。
Ｓ４１：ノード装置Ｅにおいて波長λ1のシャットオフが実行されたことにより、ノード装置Ｆにおいて、波長λ1の光パワーは十分に小さい。このとき、ＡＳＥ雑音のλ1成分も十分に抑制されている。したがって、ノード装置Ｆに収容されているクライアイント装置３０のＯＵＰＳＲ部３１は、ＷＥＳＴ方路の波長チャネルλ1（すなわち、光信号Ｘ１）の断状態を検出する。そして、ＯＵＰＳＲ部３１は、データ伝送の経路を切替えるために、ＥＡＳＴ方路の対応する光信号を選択する。
【００７９】
このように、第１の実施形態においては、ドロップノード装置（ノード装置Ｆ）から最初にシャットオフ信号を受信するノード装置（ノード装置Ｅ）が、光信号Ｘ１に対応する波長の光出力をシャットオフする。換言すれば、波長λ1のドロップノード装置（ノード装置Ｆ）は、波長λ1の障害を表す障害信号を受信すると、前段ノード装置（ノード装置Ｅ）に対して、波長λ1の光出力のシャットオフを指示する。これにより、波長λ1のＡＳＥ雑音成分は十分に抑制される。
【００８０】
図９は、第１の実施形態のシャットオフ解除手順を説明する図である。ここでは、図８に示す障害が復旧したものとする。そして、ノード装置Ｅにおいて行われているシャットオフが解除される。
【００８１】
Ｓ１：ノード装置Ａにおいて、トランスポンダ３３から出力される光信号Ｘ１が復旧する。ここで、光信号Ｘ１の波長は、λ1であるものとする。
Ｓ２：波長選択スイッチ１３Ｅは、波長λ1の光信号が断状態から復旧したことを検出する。なお、波長選択スイッチ１３Ｅは、例えば、ＯＣＭを利用して各波長の光パワーをモニタする。そして、ある波長の光パワーが閾値よりも大きくなると、その波長の光信号が復旧したと判定される。
【００８２】
Ｓ３：波長選択スイッチ１３Ｅは、波長λ1が復旧したことをＣＰＵ２０に通知する。なお、「復旧の通知」は、「障害の通知」を停止することを含む。
Ｓ４：ＣＰＵ２０は、ＯＳＣ制御部１８Ｅに対して、ＷＣＦ信号のλ1ビットに「０：ＯＫ」を設定する旨を指示する。
【００８３】
Ｓ５：ＯＳＣ制御部１８Ｅは、ＣＰＵ２０からの指示に従って、ＷＣＦ信号のλ1ビットに「０：ＯＫ」を設定する。そして、ＯＳＣ制御部１８Ｅは、このＷＣＦ信号を含むＯＳＣ信号を生成する。
【００８４】
Ｓ６：ＯＳＣ制御部１８Ｅから出力されるＯＳＣ信号は、ＯＳＣカプラ１９ＥによりＷＤＭ信号に合波される。よって、このＯＳＣ信号は、次のノード装置（すなわち、ノード装置Ｂ）へ伝送される。
【００８５】
上述のＯＳＣ信号を受信したときの動作は、ノード装置Ｂ〜Ｅにおいて実質的に同じである。したがって、以下では、上述のＯＳＣ信号を受信したノード装置Ｅの動作を説明する。
【００８６】
Ｓ１１：ノード装置ＥのＯＳＣフィルタ１７Ｗは、入力ＷＤＭ信号からＯＳＣ信号を抽出してＯＳＣ制御部１８Ｗに導く。すなわち、ＯＳＣ制御部１８Ｗは、ノード装置Ｄで生成されたＯＳＣ信号を受信する。
【００８７】
Ｓ１２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
Ｓ１３：ＣＰＵ２０は、ＷＣＦ信号の内容を確認する。また、ＣＰＵ２０は、先に受信しているシャットオフ信号を確認する。
【００８８】
Ｓ１４：ＣＰＵ２０は、ＷＣＦ信号およびシャットオフ信号が図６に示す制御条件を満たしているか判定する。この例では、波長λ１について、新たなＷＣＦ信号が「０」であり、図８においてノード装置Ｆから受信したシャットオフ信号は「１」である。すなわち、シャットオフ解除条件が満たされている。よって、ＣＰＵ２０は、波長選択スイッチ１３Ｅに対して、波長λ1の光出力のシャットオフを解除する旨の指示を与える。
【００８９】
Ｓ１５：波長選択スイッチ１３Ｅは、ＣＰＵ２０からの指示に従って、波長λ1の光出力をシャットオフを解除する。これにより、波長選択スイッチ１３Ｅは、波長λ1の光をシャットオフすることなく、他の波長の光と共に出力する。
【００９０】
Ｓ１６：ＣＰＵ２０は、自ノード（すなわち、ノード装置Ｅ）が波長λ1の光信号を終端するか否かを確認する。この例では、ノード装置Ｅは、波長λ1の光信号を終端していない。そうすると、ＣＰＵ２０は、ＯＳＣ制御部１８Ｅに対して、ＷＣＦ信号のλ1ビットに「０：ＯＫ」を設定する旨を指示する。
【００９１】
Ｓ１７：ＯＳＣ制御部１８Ｅは、ＣＰＵ２０からの指示に従って、ＷＣＦ信号のλ1ビットに「０：ＯＫ」を設定する。そして、ＯＳＣ制御部１８Ｅは、このＷＣＦ信号を含むＯＳＣ信号を生成する。
【００９２】
Ｓ１８：ＯＳＣ制御部１８Ｅから出力されるＯＳＣ信号は、ＯＳＣカプラ１９ＥによりＷＤＭ信号に合波される。よって、このＯＳＣ信号は、次のノード装置（すなわち、ノード装置Ｆ）へ伝送される。
【００９３】
Ｓ２１：ノード装置ＦのＯＳＣフィルタ１７Ｗは、入力ＷＤＭ信号からＯＳＣ信号を抽出してＯＳＣ制御部１８Ｗに導く。すなわち、ＯＳＣ制御部１８Ｗは、ノード装置Ｅで生成されたＯＳＣ信号を受信する。
【００９４】
Ｓ２２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
Ｓ２３：ＣＰＵ２０は、ＷＣＦ信号のλ1ビットが「０」であることを認識する。そうすると、ＣＰＵ２０は、自ノード（すなわち、ノード装置Ｆ）が波長λ1の光信号を終端するか否かを確認する。この例では、波長λ1の光信号は、ノード装置Ｆにおいて終端されている。
【００９５】
Ｓ２４：ノード装置Ｆが波長λ1の光信号を終端しているときは、ＣＰＵ２０は、ＯＳＣ制御部１８Ｗに対して、シャットオフ信号のλ1ビットに「０：シャットオフなし」を設定する旨を指示する。
Ｓ２５：ＯＳＣ制御部１８Ｗは、ＣＰＵ２０からの指示に従って、シャットオフ信号のλ1ビットに「０：シャットオフなし」を設定する。そして、ＯＳＣ制御部１８Ｗは、このシャットオフ信号を含むＯＳＣ信号を生成する。
【００９６】
Ｓ２６：ＯＳＣ制御部１８Ｗから出力されるＯＳＣ信号は、ＯＳＣカプラ１９ＷによりＷＤＭ信号に合波される。よって、このＯＳＣ信号は、光信号Ｘ１の伝送経路の上流側のノード装置（すなわち、ノード装置Ｅ）へ伝送される。なお、ノード装置Ｅは、受信したＯＳＣ信号からシャットオフ信号を抽出し、そのシャットオフ信号の内容を認識する。
Ｓ２７：ノード装置Ｆに収容されているクライアイント装置３０のＯＵＰＳＲ部３１は、シャットオフされていない光信号Ｘ１を受信する。
【００９７】
＜第２の実施形態＞
第１の実施形態では、ドロップノード装置は、ＷＣＦ信号により障害の発生を認識すると、シャットオフ信号を送信する。これに対して、第２の実施形態では、ドロップノード装置は、ＷＣＦ信号にかかわらず、定期的にシャットオフ信号を送信する。
【００９８】
図１０は、第２の実施形態の概要を説明する図である。図１０において、第２の実施形態のＷＤＭ伝送システム２のノード装置Ａ〜Ｉの配置は、第１の実施形態と実質的に同じである。
【００９９】
図１０において、光信号Ｘ１のドロップノード装置（すなわち、ノード装置Ｆ）は、障害の有無にかかわらず、定期的に（あるいは、常時）、シャットオフ信号を生成して送信する。ここで、ノード装置Ｆは、ネットワーク管理システムにより光信号Ｘ１についての波長チャネルが設定されると、以降、光信号Ｘ１を指定するシャットオフ信号を定期的に送信する。このシャットオフ信号は、ＯＳＣフレームを利用して、光信号Ｘ１の伝送経路を逆方向に送信される。したがって、このシャットオフ信号は、ノード装置Ｅに伝送される。すなわち、ノード装置Ｅは、光信号Ｘ１を指定するシャットオフ信号を定期的に受信する。
【０１００】
上記ＷＤＭ伝送システム２において、ノード装置Ａが光信号Ｘ１の障害を検出するものとする。そうすると、ノード装置Ａは、第１の実施形態と同様に、光信号Ｘ１を指定するＷＣＦ信号をノード装置Ｂへ送信する。このＷＣＦ信号は、第１の実施形態と同様に、順番にノード装置Ｂ、Ｃ、Ｄ、Ｅによって中継される。
【０１０１】
ノード装置Ｅは、上述のＷＣＦ信号を受信する。ここで、ノード装置Ｅは、光信号Ｘ１を指定するシャットオフ信号を受信している。したがって、ノード装置Ｅは、上述のＷＣＦ信号を受信すると、即座に、光信号Ｘ１に対応する波長の光出力をシャットオフする。これにより、光信号Ｘ１に対応する波長のＡＳＥ雑音が抑制される。したがって、第２の実施形態においても、第１の実施形態と同様に、ノード装置Ｆに収容されるクライアント装置３０において、光信号Ｘ１の断状態（ＬＯＬ：Loss of Light）を確実に検出することができる。また、第２の実施形態によれば、第１の実施形態と比較して、障害が発生してからシャットオフが実行されるまでの時間が短くなる。
【０１０２】
各ノード装置は、図６に示す制御条件に従って、シャットオフを実行または解除する。ただし、ドロップノード装置の直前のノード装置は、上述のように、定期的にシャットオフ信号を受信する。したがって、このノード装置においては、実質的に、ＷＣＦ信号のみに従ってシャットオフが実行または解除される。
【０１０３】
図１１は、第２の実施形態のシャットオフ手順を説明する図である。ここでは、図１０に示す障害に起因してシャットオフが行われるものとする。
Ｓ１：ノード装置ＦのＣＰＵ２０は、ＷＥＳＴ方路から受信するＷＤＭ信号において、ノード装置Ｆで終端（すなわち、ドロップ）する波長を認識する。この例では、ノード装置Ｆは、光信号Ｘ１（すなわち、波長λ1）を終端している。なお、各ノード装置が終端する波長は、例えば、ネットワーク管理システムにより指定される。
【０１０４】
Ｓ２：ＣＰＵ２０は、ＯＳＣ制御部１８Ｗに対して、波長λ1を指定するシャットオフ信号を生成するための指示を与える。
Ｓ３：ＯＳＣ制御部１８Ｗは、ＣＰＵ２０の指示に従って、シャットオフ信号のλ1ビットに「１：シャットオフ実行」を設定する。そして、ＯＳＣ制御部１８Ｗは、このシャットオフ信号を含むＯＳＣ信号を生成する。
【０１０５】
Ｓ４：ＯＳＣ制御部１８Ｗから出力されるＯＳＣ信号は、ＷＤＭ信号に合波されて、ノード装置Ｅへ伝送される。
Ｓ５：ノード装置Ｅにおいて、ＯＳＣ制御部１８Ｅは、ノード装置Ｆで生成されたＯＳＣ信号を受信する。そして、ＯＳＣ制御部１８Ｅは、受信したＯＳＣ信号からシャットオフ信号を抽出する。そして、ＯＳＣ制御部１８Ｅは、抽出したシャットオフ信号を、ＣＰＵ２０へ送信する。なお、Ｓ１〜Ｓ５は、例えば、定期的に実行される。したがって、この場合、上述のシャットオフ信号は、ノード装置Ｆからノード装置Ｅへ定期的に送信される。
【０１０６】
Ｓ１１〜Ｓ１６：ノード装置Ａにおいて、波長λ1の障害が検出される。そして、ノード装置Ａは、λ1ビットに「１」が設定されたＷＣＦ信号を含むＯＳＣ信号をノード装置Ｂへ送信する。なお、この手順は、図８に示すＳ１〜Ｓ６と実質的に同じなので、説明を省略する。
【０１０７】
上述のＯＳＣ信号を受信したときの動作は、ノード装置Ｂ〜Ｅにおいて実質的に同じである。したがって、以下では、上述のＯＳＣ信号を受信したノード装置Ｅの動作を説明する。
【０１０８】
Ｓ２１：ノード装置Ｅにおいて、ＯＳＣ制御部１８Ｗは、ノード装置Ｄで生成されたＯＳＣ信号を受信する。
Ｓ２２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
【０１０９】
Ｓ２３：ＣＰＵ２０は、ノード装置Ｄから受信したＷＣＦ信号を確認する。このとき、ＷＣＦ信号のλ1ビットには「１：障害」が設定されている。
Ｓ２４：ＣＰＵ２０は、ノード装置Ｆから、λ1ビットに「１：シャットオフ実行」が設定されたシャットオフ信号を定期的に受信している。すなわち、ＣＰＵ２０は、実質的にＷＣＦ信号のみに基づいて、シャットオフを実行するか否かを判定する。したがって、ＣＰＵ２０は、λ1ビットが「１」であるＷＣＦ信号を受信すると、即座に、波長選択スイッチ１３Ｅに対して、波長λ1の光出力をシャットオフする旨の指示を与える。
【０１１０】
Ｓ２５：波長選択スイッチ１３Ｅは、ＣＰＵ２０からの指示に従って、波長λ1の光出力をシャットオフする。
Ｓ３１：Ｓ２５のシャットオフにより、ノード装置Ｆにおいて、波長λ1の光パワーは十分に小さい。このとき、波長λ1のＡＳＥ雑音成分も十分に抑制されている。よって、ノード装置Ｆに収容されているクライアイント装置のＯＵＰＳＲ部３１は、ＷＥＳＴ方路の波長チャネルλ1（すなわち、光信号Ｘ１）の断状態を検出する。
【０１１１】
図１２は、第２の実施形態のシャットオフ解除手順を説明する図である。ここでは、図１１に示す障害が復旧したものとする。そして、ノード装置Ｅにおいて行われているシャットオフが解除される。
【０１１２】
Ｓ１〜Ｓ５：この手順は、図１１に示すＳ１〜Ｓ５と実質的に同じである。すなわち、ノード装置Ｅにおいて波長λ1の光出力がシャットオフされている期間、ノード装置Ｆはλ1ビットに「１：シャットオフ実行」が設定されているシャットオフ信号を定期的に送信する。
【０１１３】
Ｓ１１〜Ｓ１６：ノード装置Ａにおいて、波長λ1の光信号の障害が復旧する。この結果、この光信号は、ノード装置Ｅまで伝送される。なお、この時点で、ノード装置Ｅは、波長λ1の光出力をシャットオフしている。また、ノード装置Ａは、λ1ビットに「０：ＯＫ」が設定されたＷＣＦ信号を含むＯＳＣ信号をノード装置Ｂへ送信する。このＷＣＦ信号は、ノード装置Ｂ、Ｃ、Ｄにより中継され、ノード装置Ｅまで伝送される。なお、この手順は、図９に示すＳ１〜Ｓ６と実質的に同じなので、説明を省略する。
【０１１４】
Ｓ２１：ノード装置Ｅにおいて、ＯＳＣ制御部１８Ｗは、ノード装置Ｄで生成されたＯＳＣ信号を受信する。
Ｓ２２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
【０１１５】
Ｓ２３：ＣＰＵ２０は、ノード装置Ｄから受信したＷＣＦ信号を確認する。このとき、ＷＣＦ信号のλ1ビットには「０：ＯＫ」が設定されている。
Ｓ２４：ＣＰＵ２０は、ノード装置Ｆから、λ1ビットに「１：シャットオフ実行」が設定されているシャットオフ信号を定期的に受信している。すなわち、ＣＰＵ２０は、実質的にＷＣＦ信号のみに基づいて、シャットオフを解除するか否かを判定する。したがって、ＣＰＵ２０は、λ1ビットが「０」であるＷＣＦ信号を受信すると、即座に、波長選択スイッチ１３Ｅに対して、波長λ1のシャットオフを解除する旨の指示を与える。
【０１１６】
Ｓ２５：波長選択スイッチ１３Ｅは、ＣＰＵ２０からの指示に従って、波長λ1の光出力のシャットオフを解除する。光信号Ｘ１は、ノード装置Ｅにおいてシャットオフされることなく、ノード装置Ｆまで伝送される。
【０１１７】
Ｓ３１：ノード装置Ｆに収容されているクライアイント装置のＯＵＰＳＲ部３１は、シャットオフされていない光信号Ｘ１を受信する。
【０１１８】
＜第３の実施形態＞
第１および第２の実施形態においては、光信号Ｘ１についてのドロップノード（ノード装置Ｆ）の直近には、ＲＯＡＤＭ（ノード装置Ｅ）が設けられている。これに対して、第３の実施形態においては、光信号Ｘ１についてのドロップノード（ノード装置Ｆ）の直近には、ＩＬＡ（In-Line Amplifier）が設けられている。
【０１１９】
図１３は、ＩＬＡの構成を示す。ＩＬＡは、図１３に示すように、光アンプ１１Ｗ、１１Ｅ、１４Ｗ、１４Ｅ、ＯＳＣフィルタ１７Ｗ、１７Ｅ、ＯＳＣ制御部１８Ｗ、１８Ｅ、ＯＳＣカプラ１９Ｗ、１９Ｅ、ＣＰＵ２０を有する。これらの要素は、図３に示すＲＯＡＤＭとほぼ同じである。すなわち、ＷＤＭ信号を増幅する機能は、ＩＬＡおよびＲＯＡＤＭにおいてほぼ同じである。
【０１２０】
ただし、ＩＬＡは、ＷＤＭ信号から指定された波長チャネルを分岐する機能、ＷＤＭ信号に所望の波長チャネルを挿入する機能を有していない。すなわち、ＩＬＡは、波長ごとに光信号を制御する機能を有していない。したがって、ＩＬＡは、ＷＤＭ信号を一括して増幅する増幅ノード装置として動作する。
【０１２１】
図１４は、第３の実施形態の概要を説明する図である。第３の実施形態のＷＤＭ伝送システム３のノード装置の配置は、第１の実施形態とほぼ同じである。ただし、第３の実施形態においては、光信号Ｘ１についてのドロップノード（ノード装置Ｆ）の直近には、ＩＬＡ（ノード装置Ｅ）が設けられている。図１４において、ＩＬＡ（ノード装置Ｅ）は、破線の枠で表されている。
【０１２２】
上記ＷＤＭ伝送システム３において、ノード装置Ａが光信号Ｘ１の障害を検出するものとする。そうすると、ノード装置Ａは、第１の実施形態と同様に、光信号Ｘ１を指定するＷＣＦ信号をノード装置Ｂへ送信する。このＷＣＦ信号は、第１の実施形態と同様に、順番にノード装置Ｂ、Ｃ、Ｄ、Ｅにより中継されて、ノード装置Ｆまで伝送される。
【０１２３】
ノード装置Ｆは、第１の実施形態と同様に、光信号Ｘ１を指定するシャットオフ信号を生成し、ノード装置Ｅへ送信する。ところが、ノード装置Ｅは、ＩＬＡであり、波長ごとに光信号を制御することはできない。よって、ノード装置Ｅは、光信号Ｘ１を指定するシャットオフ信号をさらに上流側へ送信する。これにより、ノード装置Ｄは、光信号Ｘ１を指定するシャットオフ信号を受信する。
【０１２４】
シャットオフ信号を受信したノード装置Ｄの動作は、第１の実施形態におけるノード装置Ｅと実質的に同じである。すなわち、ノード装置Ｄは、ＷＣＦ信号およびシャットオフ信号が図６に示す制御条件を満たしているか判定する。この例では、ノード装置Ｄは、ノード装置Ｃから光信号Ｘ１を指定するＷＣＦ信号を受信し、ノード装置Ｅから光信号Ｘ１を指定するシャットオフ信号を受信している。したがって、ノード装置Ｄは、波長選択スイッチを利用して、光信号Ｘ１に対応する波長の光出力をシャットオフする。
【０１２５】
上記シャットオフにより、光信号Ｘ１に対応する波長のＡＳＥ雑音成分が抑制される。したがって、ノード装置Ｆに収容されているクライアント装置３０において、光信号Ｘ１が断状態であることを検出できる。なお、ノード装置Ｄとノード装置Ｆとの間にノード装置Ｅが配置されているので、ノード装置ＥにおいてＡＳＥ雑音が生成される。しかし、ノード装置Ｅにおいて生成されるＡＳＥ雑音は、ノード装置Ｂ、Ｃ、Ｄ、Ｅにおいて蓄積されるＡＳＥ雑音と比較して十分に小さい。したがって、クライアント装置３０のＯＵＰＳＲ部３１は、光信号Ｘ１の断状態を確実に検出できる。
【０１２６】
図１５は、第３の実施形態のシャットオフ手順を説明する図である。ここでは、図１４に示す障害に起因してシャットオフが行われるものとする。
ノード装置Ａは、光信号Ｘ１の障害を検出すると、λ1ビットに「１」が設定されたＷＣＦ信号を含むＯＳＣ信号を生成してノード装置Ｂへ送信する。このＯＳＣ信号は、ノード装置Ｂ、Ｃを介してノード装置Ｄへ伝送される。なお、この動作は、図８に示す第１の実施形態と実質的に同じなので、説明を省略する。
【０１２７】
ノード装置Ｄは、上述のＯＳＣ信号を受信する。ＯＳＣ信号を受信したノード装置Ｄの動作（Ｓ１〜Ｓ６）は、図８に示すノード装置Ｅの動作（Ｓ１１〜Ｓ１６）と実質的に同じである。したがって、ノード装置Ｄは、λ1ビットに「１」が設定されたＷＣＦ信号を含むＯＳＣ信号をノード装置Ｅへ送信する。
【０１２８】
Ｓ１１：ノード装置ＥのＯＳＣ制御部１８Ｗは、ノード装置Ｄで生成されたＯＳＣ信号を受信する。
Ｓ１２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
【０１２９】
Ｓ１３：ＣＰＵ２０は、ＷＣＦ信号のλ1ビットが「１：障害」であることを認識する。ここで、ノード装置Ｅは、ＲＯＡＤＭではなく、ＩＬＡである。したがって、ＣＰＵ２０は、ＯＳＣ制御部１８Ｅに対して、ＷＣＦ信号のλ1ビットに「１：障害」を設定する旨を指示する。
【０１３０】
Ｓ１４：ＯＳＣ制御部１８Ｅは、ＣＰＵ２０からの指示に従って、ＷＣＦ信号のλ1ビットに「１」を設定する。そして、ＯＳＣ制御部１８Ｅは、このＷＣＦ信号を含むＯＳＣ信号を生成する。
【０１３１】
Ｓ１５：ＯＳＣ制御部１８Ｅから出力されるＯＳＣ信号は、ＷＤＭ信号に合波され、ノード装置Ｆへ送信される。
ノード装置Ｆは、ノード装置Ｅから上述のＯＳＣ信号を受信すると、図８に示す第１の実施形態と同様に、λ1ビットに「１：シャットオフ実行」が設定されたシャットオフ信号を含むＯＳＣ信号をノード装置Ｅへ送信する。なお、図１５に示すＳ２１〜Ｓ２６は、図８に示すＳ２１〜Ｓ２６と実質的に同じである。
【０１３２】
Ｓ３１：ノード装置ＥのＯＳＣ制御部１８Ｅは、ノード装置Ｆで生成されたＯＳＣ信号を受信する。
Ｓ３２：ＯＳＣ制御部１８Ｅは、受信したＯＳＣ信号からシャットオフ信号を抽出し、ＣＰＵ２０へ送信する。
【０１３３】
Ｓ３３：ＣＰＵ２０は、受信したシャットオフ信号のλ1ビットが「１」であることを認識する。そうすると、ＣＰＵ２０は、ＯＳＣ制御部１８Ｗに対して、シャットオフ信号のλ1ビットに「１：シャットオフ実行」を設定する旨を指示する。
【０１３４】
Ｓ３４：ＯＳＣ制御部１８Ｗは、ＣＰＵ２０からの指示に従って、シャットオフ信号のλ1ビットに「１」を設定する。そして、ＯＳＣ制御部１８Ｗは、このシャットオフ信号を含むＯＳＣ信号を生成する。
【０１３５】
Ｓ３５：ＯＳＣ制御部１８Ｗから出力されるＯＳＣ信号は、ＷＤＭ信号に合波され、ノード装置Ｄへ送信される。
ノード装置Ｄは、ノード装置Ｅから上述のＯＳＣ信号を受信する。このとき、ノード装置Ｄの動作（Ｓ４１〜Ｓ４５）は、図８に示すノード装置Ｅの動作（Ｓ３１〜Ｓ３５）と実質的に同じである。したがって、ノード装置Ｄにおいて、波長選択スイッチ１３Ｅは、波長λ1の光出力をシャットオフする。
【０１３６】
Ｓ５１：ノード装置Ｄにおいてシャットオフが実行されると、ノード装置Ｆにおいて、波長λ1の光パワーは十分に小さくなっている。したがって、ノード装置Ｆに収容されているクライアント装置のＯＵＰＳＲ部３１は、ＷＥＳＴ方路の波長チャネルλ1（すなわち、光信号Ｘ１）の断状態を検出する。
【０１３７】
図１６は、第３の実施形態のシャットオフ解除手順を説明する図である。ここでは、図１５に示す障害が復旧したものとする。そして、ノード装置Ｄにおいて行われているシャットオフが解除される。
【０１３８】
ノード装置Ａは、光信号Ｘ１の復旧を検出すると、λ1ビットに「０：ＯＫ」が設定されたＷＣＦ信号を含むＯＳＣ信号をノード装置Ｂへ送信する。この動作は、図９に示す第１の実施形態と実質的に同じなので、説明を省略する。
【０１３９】
ノード装置Ｄは、上述のＯＳＣ信号を受信する。ＯＳＣ信号を受信したノード装置Ｄの動作（Ｓ１〜Ｓ８）は、図９に示すノード装置Ｅの動作（Ｓ１１〜Ｓ１８）と実質的に同じである。すなわち、ノード装置Ｄの波長選択スイッチ１３Ｅは、波長λ1の光出力のシャットオフを解除する。また、ノード装置Ｄは、λ1ビットに「０：ＯＫ」が設定されたＷＣＦ信号を含むＯＳＣ信号をノード装置Ｅへ送信する。
【０１４０】
ノード装置Ｅは、Ｓ１１〜Ｓ１５において、受信したＯＳＣ信号からＷＣＦ信号を抽出し、ＷＣＦ信号のλ1ビットが「０」であることを認識する。そうすると、ノード装置Ｅは、λ1ビットに「０」が設定されてＷＣＦ信号を含むＯＳＣ信号をノード装置Ｆへ送信する。
【０１４１】
ノード装置Ｆの動作（Ｓ２１〜Ｓ２７）は、図９に示す第１の実施形態と実質的に同じである。すなわち、ノード装置Ｆは、λ1ビットに「０：シャットオフ解除」が設定されたシャットオフ信号をノード装置Ｅへ送信する。また、ノード装置Ｄにおいてシャットオフは解除されているので、ノード装置Ｆは、ＷＥＳＴ方路から光信号Ｘ１を受信する。
【０１４２】
なお、特に図示しないが、ノード装置Ｅは、ノード装置Ｆからλ1ビットに「０」が設定されたシャットオフ信号を受信すると、λ1ビットに「０」が設定されたシャットオフ信号を新たに生成してノード装置Ｄへ送るようにしてもよい。
【０１４３】
＜第４の実施形態＞
第４の実施形態においては、第３の実施形態と同様に、光信号Ｘ１についてのドロップノード（ノード装置Ｆ）の直近には、ＩＬＡが設けられている。また、第４の実施形態においては、ドロップノード装置は、第２の実施形態と同様に、光信号Ｘ１を指定するシャットオフ信号を定期的に送信する。
【０１４４】
図１７は、第４の実施形態の概要を説明する図である。第４の実施形態のＷＤＭ伝送システム４のノード装置の配置は、第３の実施形態と実質的に同じである。すなわち、光信号Ｘ１についてのドロップノード（ノード装置Ｆ）の直近には、ＩＬＡ（ノード装置Ｅ）が設けられている。
【０１４５】
図１７において、光信号Ｘ１のドロップノード装置（すなわち、ノード装置Ｆ）は、障害の有無にかかわらず、光信号Ｘ１を指定するシャットオフ信号を定期的に生成する。このシャットオフ信号は、ＯＳＣフレームを利用して、光信号Ｘ１の伝送経路を逆方向に送信される。したがって、このシャットオフ信号は、ノード装置Ｅに伝送される。
【０１４６】
ノード装置Ｅは、ＩＬＡであり、波長ごとに光信号を制御することはできない。したがって、ノード装置Ｅは、光信号Ｘ１を指定するシャットオフ信号をノード装置Ｄへ転送する。これにより、ノード装置Ｄは、光信号Ｘ１を指定するシャットオフ信号を定期的に受信することになる。
【０１４７】
ノード装置Ａは、光信号Ｘ１の障害を検出する。そうすると、ノード装置Ａは、第１〜第３の実施形態と同様に、光信号Ｘ１を指定するＷＣＦ信号をノード装置Ｂへ送信する。このＷＣＦ信号は、順番にノード装置Ｂ、Ｃ、Ｄに伝送される。
【０１４８】
ノード装置Ｄは、上述のＷＣＦ信号を受信する。ここで、ノード装置Ｄは、光信号Ｘ１を指定するシャットオフ信号を定期的に受信する。したがって、ノード装置Ｄは、上述のＷＣＦ信号を受信すると、即座に、光信号Ｘ１に対応する波長の光出力をシャットオフする。これにより、光信号Ｘ１に対応する波長のＡＳＥ雑音成分が抑制される。よって、第４の実施形態においても、ノード装置Ｆに収容されるクライアント装置３０において、光信号Ｘ１の断状態（ＬＯＬ：Loss of Light）を確実に検出することができる。
【０１４９】
図１８は、第４の実施形態のシャットオフ手順を説明する図である。ここでは、図１７に示す障害に起因してシャットオフが行われるものとする。
ノード装置Ｆは、Ｓ１〜Ｓ４において、λ1ビットに「１：シャットオフ実行」が設定されたシャットオフ信号を定期的に生成してノード装置Ｅへ送信する。この動作は、図１１に示す第２の実施形態と実質的に同じである。
【０１５０】
ノード装置Ｅは、ＩＬＡであり、波長ごとに光信号を制御できない。よって、ノード装置Ｅは、Ｓ１１〜Ｓ１５において、ノード装置Ｆから受信するシャットオフ信号をノード装置Ｄへ転送する。
【０１５１】
Ｓ１６：ノード装置Ｄにおいて、ＯＳＣ制御部１８Ｅは、受信したＯＳＣ信号からシャットオフ信号を抽出する。そして、ＯＳＣ制御部１８Ｅは、抽出したシャットオフ信号をＣＰＵ２０へ送信する。
【０１５２】
ノード装置Ａは、光信号Ｘ１の障害を検出すると、λ1ビットに「１：障害」が設定されたＷＣＦ信号を含むＯＳＣ信号をノード装置Ｂへ送信する。このＯＳＣ信号は、ノード装置Ｂ、Ｃにより中継されて、ノード装置Ｄへ伝送される。なお、この動作は、図８に示す第１の実施形態と実質的に同じなので、説明を省略する。
【０１５３】
Ｓ２１〜Ｓ２３：ノード装置Ｄにおいて、ＯＳＣ制御部１８Ｗは、受信したＯＳＣ信号からＷＣＦ信号を抽出する。また、ＯＳＣ制御部１８Ｗは、抽出したＷＣＦ信号をＣＰＵ２０へ送信する。そして、ＣＰＵ２０は、ＷＣＦ信号のλ1ビットに「１：障害」が設定されていることを認識する。
【０１５４】
Ｓ２４：ＣＰＵ２０は、ノード装置Ｅから、λ1ビットに「１：シャットオフ実行」が設定されているシャットオフ信号を定期的に受信する。すなわち、ＣＰＵ２０は、ＷＣＦ信号に基づいて、シャットオフを実行するか否かを判定することができる。したがって、ＣＰＵ２０は、λ1ビットが「１：障害」であるＷＣＦ信号を受信すると、即座に、波長選択スイッチ１３Ｅに対して、波長λ1の光出力をシャットオフする旨の指示を与える。
【０１５５】
Ｓ２５：波長選択スイッチ１３Ｅは、ＣＰＵ２０からの指示に従って、波長λ1の光出力をシャットオフする。
Ｓ３１：Ｓ２５のシャットオフにより、ノード装置Ｆにおいて、波長λ1の光パワーは十分に小さくなっている。したがって、ＯＵＰＳＲ部３１は、ＷＥＳＴ方路の波長チャネルλ1（すなわち、光信号Ｘ１）の断状態を検出する。
【０１５６】
図１９は、第４の実施形態のシャットオフ解除手順を説明する図である。ここでは、図１８に示す障害が復旧したものとする。
シャットオフ解除手順の制御信号の流れは、図１８を参照しながら説明したシャットオフを実行する際の手順とほぼ同じである。ただし、シャットオフ解除手順では、図１９に示すように、λ1ビットに「０：ＯＫ」が設定されたＷＣＦ信号がノード装置Ａから送信され、ノード装置Ｂ、Ｃ、Ｄへ順番に転送される。
【０１５７】
ノード装置Ｄは、Ｓ２１〜Ｓ２３において、λ1ビットに「０：ＯＫ」が設定されたＷＣＦ信号を受信する。ここで、ＣＰＵ２０は、ノード装置Ｅから、λ1ビットに「１：シャットオフ実行」が設定されているシャットオフ信号を定期的に受信する。すなわち、ＣＰＵ２０は、ＷＣＦ信号に基づいて、シャットオフを解除するか否かを判定することができる。したがって、ＣＰＵ２０は、λ1ビットが「０」であるＷＣＦ信号を受信すると、Ｓ２４〜Ｓ２５において、波長選択スイッチ１３Ｅに対して、波長λ1のシャットオフを解除する旨の指示を与える。そうすると、波長選択スイッチ１３Ｅは、Ｓ２５において、ＣＰＵ２０からの指示に従って、波長λ1の光出力をシャットオフを解除する。これにより、光信号Ｘ１は、ノード装置Ｄにおいてシャットオフされることなくノード装置Ｆまで伝送されるので、ＯＵＰＳＲ部３１は、光信号Ｘ１を受信する。
【０１５８】
＜第５の実施形態＞
第１〜第４の実施形態では、ある１つのノード装置においてシャットオフが行われる。これに対して、第５の実施形態では、障害を検出したノード装置とドロップノード装置との間の伝送経路上の各ノード装置においてシャットオフが行われる。
【０１５９】
図２０は、第５の実施形態の概要を説明する図である。第５の実施形態のＷＤＭ伝送システム５のノード装置Ａ〜Ｉの配置は、第１の実施形態と実質的に同じである。ただし、第５の実施形態のＷＤＭ伝送システム５は、シャットオフ信号を使用しない。
【０１６０】
上記構成のＷＤＭ伝送システム５において、上述の光信号Ｘ１が断状態となり、ノード装置Ａがその障害を検出するものとする。この場合、ノード装置Ａは、第１〜第４の実施形態と同様に、光信号Ｘ１を指定するＷＣＦ信号を生成してノード装置Ｂへ送信する。そうすると、このＷＣＦ信号は、ノード装置Ｂ、Ｃ、Ｄ、Ｅにより中継されてノード装置Ｆまで伝送される。
【０１６１】
各ノード装置は、ＷＣＦ信号に基づいて、波長ごとにシャットオフを実行するか解除するかを判定する。したがって、光信号Ｘ１を指定するＷＣＦ信号を受信すると、各ノード装置Ｂ、Ｃ、Ｄ、Ｅは、それぞれ、光信号Ｘ１に対応する波長の光出力をシャットオフする。この結果、光信号Ｘ１に対応する波長のＡＳＥ雑音成分が抑制され、ドロップノード装置に収容されているＯＵＰＳＲ部は、光信号Ｘ１の断状態を確実に検出できる。
【０１６２】
図２１は、第５の実施形態のシャットオフ手順を説明する図である。ここでは、図２０に示す障害に起因してシャットオフが行われるものとする。
ノード装置Ａは、光信号Ｘ１の障害を検出すると、λ1ビットに「１：障害」が設定されたＷＣＦ信号を含むＯＳＣ信号をノード装置Ｂへ送信する。この動作は、図８に示す第１の実施形態と実質的に同じなので、説明を省略する。
【０１６３】
ノード装置Ａから送信されるＷＣＦ信号は、ノード装置Ｂ、Ｃ、Ｄ、Ｅにより順番に中継され、ノード装置Ｆまで伝送される。このとき、ノード装置Ｂ、Ｃ、Ｄ、Ｅの動作は、実質的に互いに同じである。よって、以下では、ノード装置Ｂについて説明する。
【０１６４】
Ｓ１１：ノード装置ＢのＯＳＣ制御部１８Ｗは、ノード装置Ａで生成されたＯＳＣ信号を受信する。
Ｓ１２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
【０１６５】
Ｓ１３：ＣＰＵ２０は、ＷＣＦ信号のλ1ビットが「１：障害」であることを認識する。また、ＣＰＵ２０は、自ノード（すなわち、ノード装置Ｂ）が波長λ1の光信号を終端するか否かを確認する。この例では、波長λ1の光信号は、ノード装置Ｆにおいてドロップされる。すなわち、ノード装置Ｂは、波長λ1の光信号を終端しない。
【０１６６】
Ｓ１４：ノード装置Ｂが波長λ1の光信号を終端していないので、ＣＰＵ２０は、波長選択スイッチ１３Ｅに対して、波長λ1の光出力をシャットオフする旨の指示を与える。
Ｓ１５：波長選択スイッチ１３Ｅは、ＣＰＵ２０からの指示に従って、波長λ1の光出力をシャットオフする。
【０１６７】
Ｓ１６：ＣＰＵ２０は、ＯＳＣ制御部１８Ｅに対して、ＷＣＦ信号のλ1ビットに「１：障害」を設定する旨を指示する。
Ｓ１７：ＯＳＣ制御部１８Ｅは、ＣＰＵ２０からの指示に従って、ＷＣＦ信号のλ1ビットに「１」を設定する。そして、ＯＳＣ制御部１８Ｅは、このＷＣＦ信号を含むＯＳＣ信号を生成する。
【０１６８】
Ｓ１８：ＯＳＣ制御部１８Ｅから出力されるＯＳＣ信号は、ＷＤＭ信号に合波され、次のノード装置（すなわち、ノード装置Ｃ）へ伝送される。
ノード装置Ｃ、Ｄ、Ｅの動作は、ノード装置Ｂの動作（Ｓ１１〜Ｓ１８）と実質的に同じである。したがって、ノード装置Ｃ、Ｄ、Ｅは、それぞれ、波長λ1の光出力をシャットオフする。
【０１６９】
Ｓ２１：Ｓ１５のシャットオフにより、ノード装置Ｆにおいて、波長λ1の光パワーは十分に小さくなっている。したがって、ＯＵＰＳＲ部３１は、ＷＥＳＴ方路の波長チャネルλ1（すなわち、光信号Ｘ１）の断状態を検出する。
【０１７０】
図２２は、第５の実施形態のシャットオフ解除手順を説明する図である。ここでは、図２１に示す障害が復旧したものとする。
シャットオフ解除手順の制御信号の流れは、図２１を参照しながら説明したシャットオフを実行する際の手順とほぼ同じである。ただし、シャットオフ解除手順では、λ1ビットに「０：ＯＫ」が設定されたＷＣＦ信号がノード装置Ａから送信され、ノード装置Ｂ、Ｃ、Ｄ、Ｅへ順番に転送される。
【０１７１】
ノード装置Ｂ、Ｃ、Ｄ、Ｅは、それぞれ、Ｓ１１〜Ｓ１５において、受信したＷＣＦ信号に従って、波長λ1のシャットオフを解除する。また、ノード装置Ｂ、Ｃ、Ｄ、Ｅは、それぞれ、Ｓ１６〜Ｓ１８において、λ1ビットに「０：ＯＫ」が設定されたＷＣＦ信号を次のノード装置へ送信する。この結果、光信号Ｘ１はノード装置Ｆまで伝送される。
【０１７２】
＜第６の実施形態＞
第６の実施形態において想定する障害は、ＷＤＭ信号の断状態である。このような障害は、例えば、ノード間を接続する光ファイバの切断により発生する。
【０１７３】
図２３は、第６の実施形態の概要を説明する図である。図２３に示す第６の実施形態のＷＤＭ伝送システム６において、リング状に接続されているノード装置Ａ〜Ｉのうち、ノード装置Ａ、Ｂ、ＦはＲＯＡＤＭであり、ノード装置Ｃ、Ｄ、ＥはＩＬＡである。他のノード装置は、ＲＯＡＤＭまたはＩＬＡである。また、第６の実施形態のＷＤＭ伝送システム６は、シャットオフ信号を使用しない。
【０１７４】
上記構成のＷＤＭ伝送システム６において、ノード装置Ａ、Ｂ間で反時計回り方向にＷＤＭ信号を伝送する光ファイバが切断されたものとする。この場合、ノード装置ＢがＷＤＭ信号の全波長について障害（すなわち、ＬＯＬ）を検出する。そうすると、ノード装置Ｂは、ＷＤＭ信号の全波長が断状態であることを表すＷＣＦ信号を生成してノードＣへ送信する。
【０１７５】
このＷＣＦ信号は、ノード装置Ｃ、Ｄ、Ｅにより中継されてノード装置Ｆまで伝送される。このとき、ノード装置Ｃ、Ｄ、Ｅは、それぞれ、ＷＤＭ信号の全波長の光出力をシャットオフする。ただし、ノード装置Ｃ、Ｄ、Ｅは、ＯＳＣ信号はシャットオフしない。
【０１７６】
このように、ＷＤＭ信号の断状態を検出したノード装置（ノード装置Ｂ）とドロップノード装置（ノード装置Ｆ）との間に、ＩＬＡ（ノード装置Ｃ、Ｄ、Ｅ）のみが存在する場合は、各ＩＬＡは、ＷＤＭ信号の全波長の光出力をシャットオフする。したがって、ノード装置Ｆにおいて、ＷＤＭ信号のすべての波長でＡＳＥ雑音は十分に抑制されている。この結果、ノード装置Ｆにおいて分岐される波長チャネルは、ＯＵＰＳＲ部によって断状態と判定される。なお、ＷＤＭ信号の断状態を検出したノード装置とドロップノード装置との間にＲＯＡＤＭが存在する場合は、ＩＬＡはシャットオフを実行せずに、ＲＯＡＤＭがシャットオフを実行してもよい。
【０１７７】
図２４は、第６の実施形態のシャットオフ手順を説明する図である。ここでは、図２３に示す障害に起因してシャットオフが行われるものとする。
Ｓ１：ノード装置Ａから送信されるＷＤＭ信号がノード装置Ｂへ到達しなくなる。このような障害は、例えば、ノード装置Ａからノード装置Ｂへ信号を伝搬する光ファイバの切断により発生する。
【０１７８】
Ｓ２：ノード装置Ｂにおいて、波長選択スイッチ１３Ｅは、入力ＷＤＭ信号のすべての波長が断状態であることを検出する。そして、波長選択スイッチ１３Ｅは、この障害をＣＰＵ２０に通知する。
【０１７９】
Ｓ３：ＣＰＵ２０は、ＯＳＣ制御部１８Ｅに対して、ＷＣＦ信号のすべての波長ビットに「１：障害」を設定する旨を指示する。
Ｓ４：ＯＳＣ制御部１８Ｅは、ＣＰＵ２０からの指示に従って、ＷＣＦ信号のすべての波長ビットにそれぞれ「１」を設定する。図５に示す例では、λ0〜λ87ビットにそれぞれ「１」が設定される。そして、ＯＳＣ制御部１８Ｅは、このＷＣＦ信号を含むＯＳＣ信号を生成する。
【０１８０】
Ｓ５：ＯＳＣ制御部１８Ｅにより生成されるＯＳＣ信号は、出力ＷＤＭ信号に合波される。よって、このＯＳＣ信号は、次のノード装置（すなわち、ノード装置Ｃ）へ伝送される。
【０１８１】
Ｓ１１：ノード装置Ｃにおいて、入力ＷＤＭ信号から抽出されるＯＳＣ信号がＯＳＣ制御部１８Ｗに導かれる。すなわち、ＯＳＣ制御部１８Ｗは、ノード装置Ｂで生成されたＯＳＣ信号を受信する。
【０１８２】
Ｓ１２：ＯＳＣ制御部１８Ｗは、受信したＯＳＣ信号からＷＣＦ信号を抽出する。そして、ＯＳＣ制御部１８Ｗは、抽出したＷＣＦ信号をＣＰＵ２０へ送信する。
Ｓ１３〜Ｓ１４：ＣＰＵ２０は、ＷＣＦ信号のすべての波長ビットが「１」であることを認識する。また、ＣＰＵ２０は、自ノード（すなわち、ノード装置Ｃ）がＩＬＡであることを認識している。この場合、ＣＰＵ２０は、光アンプ１４Ｅに対して、ＷＤＭ信号のすべての波長の光出力をシャットオフする旨を指示する。
【０１８３】
Ｓ１５：光アンプ１４Ｅは、ＣＰＵ２０からの指示に従って、ＷＤＭ信号のすべての波長の光出力をシャットオフする。すなわち、光アンプ１４Ｅは、ＷＤＭ信号を増幅するための利得を小さくする。或いは、光アンプ１４Ｅが可変光減衰器を含んでいるときは、減衰量を制御することによりＷＤＭ信号をシャットオフしてもよい。
【０１８４】
Ｓ１６：ＣＰＵ２０は、ＯＳＣ制御部１８Ｅに対して、ＷＣＦ信号のすべての波長ビットに「１：障害」を設定する旨を指示する。
Ｓ１７：ＯＳＣ制御部１８Ｅは、ＣＰＵ２０からの指示に従って、ＷＣＦ信号のすべての波長ビットに「１」を設定する。そして、ＯＳＣ制御部１８Ｅは、このＷＣＦ信号を含むＯＳＣ信号を生成する。
【０１８５】
Ｓ１８：ＯＳＣ制御部１８Ｅにより生成されるＯＳＣ信号は、出力ＷＤＭ信号に合波される。ただし、ＷＤＭ信号は、光アンプ１４Ｅによってシャットオフされている。したがって、ＯＳＣ信号のみが次のノード装置（すなわち、ノード装置Ｄ）へ送信される。
【０１８６】
ノード装置Ｄ、Ｅの動作は、ノード装置Ｃの動作（Ｓ１１〜Ｓ１８）と実質的に同じである。すなわち、ノード装置Ｄ、Ｅは、それぞれ、ＷＤＭ信号をシャットオフする。そして、ノード装置Ｄ、Ｅは、それぞれ、すべての波長ビットに「１」が設定されたＷＣＦ信号を次のノードへ送信する。
【０１８７】
Ｓ２１：Ｓ１５のシャットオフにより、ノード装置Ｆにおいて、ＷＤＭ信号の各波長の光パワーは十分に小さい。したがって、ＯＵＰＳＲ部３１は、ＷＥＳＴ方路の波長チャネルλ1（すなわち、光信号Ｘ１）の断状態を検出する。
【０１８８】
図２５は、第６の実施形態のシャットオフ解除手順を説明する図である。ここでは、図２４に示す障害が復旧したものとする。
シャットオフ解除手順の制御信号の流れは、図２４を参照しながら説明したシャットオフを実行する際の手順とほぼ同じである。ただし、シャットオフ解除手順では、ＷＤＭ信号のすべての波長ビットに「０：ＯＫ」が設定されたＷＣＦ信号がノード装置Ｂから送信され、ノード装置Ｃ、Ｄ、Ｅへ順番に転送される。
【０１８９】
ノード装置Ｃ、Ｄ、Ｅは、それぞれ、Ｓ１１〜Ｓ１５において、受信したＷＣＦ信号に従って、ＷＤＭ信号のシャットオフを解除する。また、ノード装置Ｃ、Ｄ、Ｅは、それぞれ、Ｓ１６〜Ｓ１８において、ＷＤＭ信号のすべての波長ビットに「０」が設定されたＷＣＦ信号を次のノード装置へ送信する。この結果、光信号Ｘ１はノード装置Ｆまで伝送される。
【０１９０】
＜第７の実施形態＞
第１〜第５の実施形態においては、各ノード装置は、ＷＣＦ信号／シャットオフ信号に基づいて光出力のシャットオフを制御する。このとき、ＣＰＵ２０は、特に限定されるものではないが、例えば、ＷＣＦ信号／シャットオフ信号を受信する毎に、波長選択スイッチ１３Ｅ、１３Ｗに対してシャットオフの実行または解除を指示してもよい。しかし、この方法では、ＣＰＵ２０は、ＷＤＭ伝送システムが正常に動作しているときであっても、波長選択スイッチ１３Ｅ、１３Ｗに対して繰り返し指示を与えることになる。すなわち、ＣＰＵ２０の負荷が大きい。そこで、第７の実施形態のノード装置は、光出力のシャットオフ制御に係わる処理が少ない構成および手順を採用する。
【０１９１】
図２６は、第７の実施形態のシャットオフ制御方法を説明する図である。第７の実施形態においては、各ノード装置は、図２６（ａ）に示すように、状態管理テーブル４１を有する。状態管理テーブル４１は、図２６（ｂ）に示すように、ＷＤＭ信号の波長ごとに、最新のＷＣＦ信号により指定される状態、及び最新のシャットオフ信号により表される状態を管理する。ＷＣＦ信号により指定される状態は、「１：障害」または「０：ＯＫ」である。また、シャットオフ信号により表される状態は、「１：シャットオフ実行」または「シャットオフ解除」である。なお、図２６（ｂ）は、時計回り方向伝送路または反時計回り方向伝送路のいずれか一方の状態管理テーブルを示している。すなわち、各ノード装置は、時計回り方向伝送路および反時計回り方向伝送路のそれぞれに対して状態管理テーブル４１を有する。
【０１９２】
図２６（ａ）において、ＯＳＣ制御部１８Ｗ、１８Ｅは、隣接ノードからＯＳＣ信号を受信すると、そのＯＳＣ信号からＷＣＦ信号およびシャットオフ信号を抽出してＣＰＵ２０に送信する。ＣＰＵ２０は、最新のＷＣＦ信号およびシャットオフ信号の内容で状態管理テーブル４１を更新する。そして、ＣＰＵ２０は、各波長について、例えば図６に示す制御条件を満たすか判定し、判定結果が変化した波長について波長選択スイッチ１３Ｅ、１３Ｗに対して指示を与える。
【０１９３】
波長選択スイッチ１３Ｗ、１３Ｅは、それぞれ、シャットオフ制御レジスタ４２を有する。シャットオフ制御レジスタ４２は、ＷＤＭ信号の各波長について、シャットオフを実行するか否かを表す情報を格納する。そして、波長選択スイッチ１３Ｗ、１３Ｅは、ＣＰＵ２０からの指示に従ってシャットオフ制御レジスタ４２を更新し、そのシャットオフ制御レジスタ４２に格納されている情報に基づいて波長ごとにシャットオフを制御する。
【０１９４】
第７の実施形態によれば、ＣＰＵ２０から波長選択スイッチ１３Ｗ、１３Ｅへシャットオフに係わる指示を送信する回数が大幅に少なくなる。なお、第７の実施形態の構成は、第１〜第６の実施形態に適用可能である。ただし、シャットオフ信号を使用しない実施形態に第７の実施形態を適用する場合は、状態管理テーブル４１は、波長ごとに最新のＷＣＦ信号により指定される状態を管理する。また、第６の実施形態に第７の実施形態を適用する場合は、ＣＰＵ２０は、状態管理テーブル４１に基づいて光アンプに対して指示を与える。
【０１９５】
＜第８の実施形態＞
第１〜第４の実施形態においては、ＷＤＭ信号中のある光信号が断状態となったときに、その光信号のドロップノードの直近のノード装置が、その光信号に対応する波長をシャットオフする。このとき、各ノード装置は、シャットオフ信号を利用してシャットオフを実行するか判定する。
【０１９６】
これに対して、第８の実施形態では、各ノード装置（或いは、一部のノード装置）は、ネットワークのトポロジを表すトポロジ情報、および波長チャネルのルーティング情報を保持する。そして、ノード装置は、障害信号を受信したときに、トポロジ情報およびルーティング情報を利用して、対応する光信号をシャットオフするか否かを判定する。
【０１９７】
図２７は、第８の実施形態の係るＷＤＭ伝送システムの一例を示す図である。図２７に示す例では、ＷＤＭ伝送システムは、ノード装置Ｎ１〜Ｎ７を有する。各ノード装置Ｎ１〜Ｎ７は、ＲＯＡＤＭである。また、このＷＤＭ伝送システムは、サブネットワーク１、２を有する。ノード装置Ｎ１〜Ｎ４は、サブネットワーク１に属し、ノード装置Ｎ３、Ｎ５〜Ｎ７は、サブネットワーク２に属する。すなわち、ノード装置Ｎ３は、サブネットワーク１、２双方に属する。
【０１９８】
各ノード装置Ｎ１、Ｎ２、Ｎ４〜Ｎ７は、2-degree構成のＲＯＡＤＭであり、２つの方路（degree-A、degree-B）を有する。ノード装置Ｎ３は、4-degree構成のＲＯＡＤＭであり、４つの方路（degree-A、degree-B、degree-C、degree-D）を有する。
【０１９９】
各ノード装置Ｎ１〜Ｎ７は、ネットワークトポロジ／ルーティングＤＢ５１を有する。ネットワークトポロジ／ルーティングＤＢ５１は、ネットワークのトポロジを表すトポロジ情報、および波長チャネルのルーティング情報を格納する。
【０２００】
図２８（ａ）は、トポロジ情報の一例を示す。このトポロジ情報は、図２７に示すＷＤＭ伝送システムのトポロジを表している。トポロジ情報は、各スパンについて、互いに隣接するノードを特定する。例えば、サブネットワーク１についてのトポロジ情報の１番目のレコードは、ノード装置Ｎ１のdegree-Aとノード装置Ｎ２のdegree-Bが接続されている構成を表している。なお、ＮＩＤ（Node Identifier）は、各ノード装置Ｎ１〜Ｎ７を識別する識別子である。
【０２０１】
図２８（ｂ）は、ルーティング情報の一例を示す。このルーティング情報は、図２７に示すトラヒック１、２を表している。トラヒック１は、ノード装置Ｎ３を介してノード装置Ｎ２、Ｎ４間でデータを伝送する。なお、トラヒック１に対しては、波長λ1が割り当てられている。トラヒック２は、ノード装置Ｎ３、Ｎ６を介してノード装置Ｎ５、Ｎ７間でデータを伝送する。なお、トラヒック２は、伝送経路の途中で波長が変換される。すなわち、ノード装置Ｎ５、Ｎ３間では、トラヒック２に対して波長λ2が割り当てられ、ノード装置Ｎ３、Ｎ７間では、トラヒック２に対して波長λ3が割り当てられている。すなわち、ノード装置Ｎ３は、ＷＤＭ信号中の各光信号の波長を変換することができる再生中継器５２を有している。
【０２０２】
図２８（ｂ）において、例えば、トラヒック１についてのルーティング情報は、以下を表す。
ノード装置Ｎ４：degree-Aは未使用、degree-Bには波長λ1が割り当てられる。
ノード装置Ｎ３：degree-A、degree-Bに波長λ1が割り当てられる。
ノード装置Ｎ２：degree-Aには波長λ1が割り当てられ、degree-Bは未使用。
なお、「Ｔ」は、終端されている状態（または、方路が使用されていない状態）を表す。また、ルーティング情報は、例えば、ネットワーク管理システムにより波長チャネルが設定されたときに生成される。
【０２０３】
各ノード装置は、波長パス接続状態管理テーブルを有する。波長パス接続状態管理テーブルは、上述のトポロジ情報およびルーティング情報に基づいて作成される。また、波長パス接続状態管理テーブルは、図２９に示すように、自ノードを通過する波長パスにおいて、自ノードがドロップノード（あるいは、宛先ノード）の直近に配置されているか否かを表す波長パス接続情報を管理する。
【０２０４】
図２９は、図２７に示すネットワークにおいてノード装置Ｎ３が有する波長パス接続状態管理テーブルを示す。波長パス接続状態管理テーブルにより管理される波長パス接続情報は、図２９に示すように、入力方路と入力波長との組合せに対して、「接続」「直近」を表す。「接続」は、光信号の出力方路および出力波長を表す。例えば、方路degree-Aからノード装置Ｎ３に入力される波長λ1の光信号は、方路degree-Bへ出力される。このとき、出力される光信号の波長はλ1である。また、「直近」は、「接続」によって特定れる光信号のドロップノードにとって、自ノードが直近ノードであるか否かを表す。例えば、方路degree-Bから出力される波長λ1の光信号は、ノード装置Ｎ２においてドロップされる。そして、ノード装置Ｎ３は、ノード装置Ｎ２の直近に配置されている。したがって、この光信号に対して、「直近＝１」が設定されている。
【０２０５】
上記構成のＷＤＭ伝送システムにおいて、ある波長の光信号の障害が検出されたときには、第１〜第５の実施形態と同様に、その光信号を指定するＷＣＦ信号が生成される。そして、このＷＣＦ信号は、障害を検出したノード装置からその光信号のドロップノードへ伝送される。
【０２０６】
ＷＣＦ信号を受信したノード装置は、波長パス接続状態管理テーブルを参照し、自ノードが、ＷＣＦ信号で指定されている光信号のドロップノードの直前ノードであるか判定する。そして、ノード装置は、その判定結果に応じて、光信号をシャットオフするか否かを決定する。
【０２０７】
例えば、ノード装置Ｎ４からノード装置Ｎ２へ向かうトラヒック１が断状態になったものとする。そして、ノード装置Ｎ４がその障害を検出したものとする。この場合、ノード装置Ｎ２は、λ1を指定するＷＣＦ信号をノード装置Ｎ３へ送信する。
【０２０８】
ノード装置Ｎ３は、方路degree-Aからλ1を指定するＷＣＦ信号を受信すると、図２９に示す波長パス接続状態管理テーブルから「接続：DegB−１」および「直近：１」を得る。この場合、ノード装置Ｎ３は、自ノードが、方路degree-Bへ出力する波長λ1の光出力のドロップノードに対して直近ノードであると判定する。したがって、ノード装置Ｎ３は、方路degree-Bへ出力する波長λ1の光出力をシャットオフする。
【０２０９】
別の例として、ノード装置Ｎ７からノード装置Ｎ５へ向かうトラヒック２が断状態になったものとする。そして、ノード装置Ｎ７がその障害を検出したものとする。この場合、ノード装置Ｎ７は、λ3を指定するＷＣＦ信号をノード装置Ｎ３へ送信する。
【０２１０】
ノード装置Ｎ３は、方路degree-Dからλ3を指定するＷＣＦ信号を受信すると、波長パス接続状態管理テーブルから「接続：DegC−２」および「直近：０」を得る。この場合、ノード装置Ｎ３は、自ノードが、方路degree-Cへ出力する波長λ2の光出力のドロップノードに対して直近ノードでないと判定する。したがって、ノード装置Ｎ３は、方路degree-Cへ出力する波長λ2の光出力をシャットオフしない。
【０２１１】
なお、ネットワークトポロジ／ルーティングＤＢ５１は、図３０および図３１に示すように、方路ごとにトポロジ情報およびルーティング情報を管理してもよい。このようなポロジ情報およびルーティング情報からも、同様に、波長パス接続状態管理テーブルを作成することができる。
【０２１２】
以上記載した各実施例を含む実施形態に関し、さらに以下の付記を開示する。
（付記１）
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、
前記障害信号に応じて、前記第１のノード装置から、前記第１の経路を介して前記第２のノード装置へ向けて、前記第１の光信号を指定するシャットオフ信号を送信し、
前記障害信号を中継し、且つ前記シャットオフ信号を受信した、第３のノード装置において、前記第１の光信号に対応する波長の光出力をシャットオフする
ことを特徴とする雑音抑制方法。
（付記２）
前記第１のノード装置は、前記障害信号の受信に応じて、前記シャットオフ信号を前記第１の経路を介して前記第２のノード装置へ向けて送信する
ことを特徴とする付記１に記載の雑音抑制方法。
（付記３）
前記第１のノード装置は、前記障害信号に係わらず定期的または継続的に、前記シャットオフ信号を前記第１の経路を介して前記第２のノード装置へ向けて送信する
ことを特徴とする付記１に記載の雑音抑制方法。
（付記４）
前記第１のノード装置から最初に前記シャットオフ信号を受信するノード装置が、前記第３のノード装置として、前記第１の光信号に対応する波長の光出力をシャットオフする
ことを特徴とする付記１〜３のいずれか１つに記載の雑音抑制方法。
（付記５）
前記複数のノード装置は、波長ごとにＷＤＭ信号を制御する分岐挿入ノード装置、およびＷＤＭ信号を一括して増幅する増幅ノード装置を含み、
前記増幅ノード装置は、前記シャットオフ信号を受信すると、前記シャットオフ信号を前記第２のノード装置へ向けて転送し、
前記分岐挿入ノード装置は、前記シャットオフ信号を受信すると、前記第３のノード装置として、前記第１の光信号に対応する波長の光出力をシャットオフする
ことを特徴とする付記１〜３のいずれか１つに記載の雑音抑制方法。
（付記６）
前記第３のノード装置は、前記ＷＤＭ信号中の指定された波長の光信号を通過させるまたは遮断する波長選択デバイスを利用して、前記第１の光信号に対応する波長の光出力をシャットオフする
ことを特徴とする付記１〜５のいずれか１つに記載の雑音抑制方法。
（付記７）
前記第３のノード装置は、前記障害信号および前記シャットオフ信号の状態を管理し、前記障害信号または前記シャットオフ信号の状態の変化に起因して前記波長選択デバイスの動作状態を変更するときにのみ、前記波長選択デバイスに対して動作状態を変更するための指示を与える
ことを特徴とする付記６に記載の雑音抑制方法。
（付記８）
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、
前記第１の経路上に配置されている１または複数のノード装置において、前記障害信号に応じて、前記第１の光信号に対応する波長の光出力をシャットオフする
ことを特徴とする雑音抑制方法。
（付記９）
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記ＷＤＭ信号の障害を検出したときに、前記第２のノード装置から前記第１の経路を介して前記第１のノード装置へ、前記ＷＤＭ信号のすべての波長を指定する障害信号を送信し、
前記第１の経路上で前記障害信号を中継する１または複数のノード装置において、前記第１のノード装置へ向かうＷＤＭ信号をシャットオフする
ことを特徴とする雑音抑制方法。
（付記１０）
前記第２のノード装置と前記第１のノード装置との間の前記第１の経路上には、前記ＷＤＭ信号を一括して増幅する増幅ノード装置が配置されているが、波長ごとにＷＤＭ信号を制御する分岐挿入ノード装置は配置されておらず、
前記第１の経路上に配置されている各増幅ノード装置は、前記障害信号に応じて、前記第１のノード装置へ向かうＷＤＭ信号をシャットオフする
ことを特徴とする付記９に記載の雑音抑制方法。
（付記１１）
ＷＤＭ信号を伝送する複数のノード装置を有し、第１のノード装置が前記ＷＤＭ信号から第１の光信号を分岐して通信装置へ導く光伝送システムにおいて使用される雑音抑制方法であって、
前記第１の光信号を前記第１のノード装置へ伝送する第１の経路上に配置されている第２のノード装置が前記第１の光信号の障害を検出したときに、前記第２のノード装置から前記第１の経路を介して前記第１のノード装置へ、前記第１の光信号を指定する障害信号を送信し、
前記第１の経路上で前記第１のノード装置の隣りに配置されている第３のノード装置において、前記障害信号に応じて、前記第１の光信号に対応する波長の光出力をシャットオフする
ことを特徴とする雑音抑制方法。
（付記１２）
各ノード装置は、自ノードを通過する波長チャネルにおいて、自ノードが前記第１の光信号の宛先ノードの直近に配置されているか否かを表す波長パス接続情報を有し、
各ノード装置は、前記障害情報を受信すると、前記波長パス接続情報に基づいて、前記障害信号により指定されている光信号に対応する波長の光出力をシャットオフするか否かを判定する
ことを特徴とする付記１１に記載の雑音抑制方法。
（付記１３）
ＷＤＭ信号を伝送する複数のノード装置を有し、第１のノード装置が前記ＷＤＭ信号から第１の光信号を分岐して通信装置へ導く光伝送システムであって、
前記第１の光信号を前記第１のノード装置へ伝送する第１の経路上に配置されている第２のノード装置は、前記第１の光信号の障害を検出したときに、前記第１の経路を介して前記第１のノード装置へ、前記第１の光信号を指定する障害信号を送信し、
前記第１のノード装置は、前記第１の経路を介して前記第２のノード装置へ向けて、前記第１の光信号を指定するシャットオフ信号を送信し、
前記障害信号を中継し且つ前記シャットオフ信号を受信した第３のノード装置は、前記第１の光信号に対応する波長の光出力をシャットオフする
ことを特徴とする光伝送システム。
【符号の説明】
【０２１３】
１〜６  ＷＤＭ伝送システム
１１Ｗ、１１Ｅ、１４Ｗ、１４Ｅ  光アンプ
１３Ｗ、１３Ｅ  波長選択スイッチ（ＷＳＳ）
１８Ｗ、１８Ｅ  ＯＳＣ制御部
２０  ＣＰＵ
３０  クライアント装置
３１  ＯＵＰＳＲ部
４１  状態管理テーブル
５１  ネットワークトポロジ／ルーティングＤＢ
【図１】
0005790364.tif 000002
【図２】
0005790364.tif 000003
【図３】
0005790364.tif 000004
【図４】
0005790364.tif 000005
【図５】
0005790364.tif 000006
【図６】
0005790364.tif 000007
【図７】
0005790364.tif 000008
【図８】
0005790364.tif 000009
【図９】
0005790364.tif 000010
【図１０】
0005790364.tif 000011
【図１１】
0005790364.tif 000012
【図１２】
0005790364.tif 000013
【図１３】
0005790364.tif 000014
【図１４】
0005790364.tif 000015
【図１５】
0005790364.tif 000016
【図１６】
0005790364.tif 000017
【図１７】
0005790364.tif 000018
【図１８】
0005790364.tif 000019
【図１９】
0005790364.tif 000020
【図２０】
0005790364.tif 000021
【図２１】
0005790364.tif 000022
【図２２】
0005790364.tif 000023
【図２３】
0005790364.tif 000024
【図２４】
0005790364.tif 000025
【図２５】
0005790364.tif 000026
【図２６】
0005790364.tif 000027
【図２７】
0005790364.tif 000028
【図２８】
0005790364.tif 000029
【図２９】
0005790364.tif 000030
【図３０】
0005790364.tif 000031
【図３１】
0005790364.tif 000032